(57)【要約】  本発明は、通信ネットワーク１２によって提供されるサービスへのアクセス局ＨＧのパラメータＳＡＩを構成する方法に関する。該方法には、通信ネットワークへのアクセスネットワークを形成する複数の無線アクセス局を介してアクセス可能なサービスについては、以下の段階が含まれる。すなわち、無線アクセス局の位置の表示を含むパラメータＳＡＩの構成要求２０の受信時、位置表示に基づき、無線アクセス局に地理的なエリアを割り当てるステップと、無線アクセス局の位置に関連付けられた制約条件を満足するパラメータに疑似値を動的に割り当てるステップと、無線アクセス局からサービスにアクセスせよという要求を受信すると、疑似値をパラメータの選択された可能な値に変換する、即ち、地理的なエリアに対して通信ネットワークによって定義された可能な値のリストから選択されたパラメータＳＡＩの値に変換するステップと、が含まれる。
2010507306.tif 000002
【特許請求の範囲】
【請求項１】
通信ネットワーク（１２）によって提供されるサービスへのアクセスを提供する無線アクセス局（ＨＧ）のパラメータＳＡＩを構成する方法であって、サービスは、前記通信ネットワークへのアクセスネットワークを形成する複数の無線アクセス局を介してアクセス可能であり、前記方法には、
・前記無線アクセス局の位置の表示を含む前記パラメータ（ＳＡＩ）の構成に対する要求の受信時、前記位置表示に基づき、地理的なエリア（ＧＡ１、ＧＡ２）を前記無線アクセス局に割り当てるステップと、
・前記地理的なエリアでは、疑似値は、唯１つ発生すべきであるという作用に対する制約条件を満足するパラメータに疑似値を動的に割り当てるステップと、
・前記無線アクセス局からのサービスへのアクセス要求の受信時、前記地理的なエリア（ＧＡ１、ＧＡ２）用の通信ネットワークによって定義された可能な値のリストから選択されたパラメータＳＡＩの値に疑似値を変換するステップと、
が含まれることを特徴とする方法。
【請求項２】
請求項１に記載の構成方法であって、動的な割当てステップには、前記地理的なエリアにおけるパラメータＳＡＩに利用可能な疑似値のリストを含むローカルデータベースに問い合わせるサブステップと、利用可能な疑似値の前記リストから前記無線アクセス局に割り当てられる疑似値を選択するサブステップと、が含まれることを特徴とする構成方法。
【請求項３】
請求項１又は請求項２に記載の構成方法であって、前記変換ステップには、前記地理的なエリアにおける前記パラメータ用に選択された可能な値に前記疑似値を変換するための表を含むデータベース（１４）に問い合わせるサブステップが含まれることを特徴とする構成方法。
【請求項４】
通信ネットワーク（１２）によって提供されるサービスへのアクセス局のコントローラ（１１）であって、前記アクセス局は、前記通信ネットワークへのゲートウェイを構成する前記コントローラに接続された前記ネットワークのサービスへの無線アクセス局であり、前記コントローラは、以下の手段、即ち、
・前記無線アクセス局の位置の表示を含む前記パラメータ（ＳＡＩ）の構成に対する要求の受信時、前記位置表示に基づき、地理的なエリア（ＧＡ１、ＧＡ２）を前記無線アクセス局に割り当てる段階と、
・前記地理的なエリアでは、疑似値は、唯１つ発生すべきであるという作用に対する制約条件を満足するパラメータに疑似値を動的に割り当てる段階と、
・前記無線アクセス局からのサービスへのアクセス要求の受信時、前記地理的なエリア（ＧＡ１、ＧＡ２）用の通信ネットワークによって定義された可能な値のリストから選択されたパラメータＳＡＩの値に疑似値を変換する段階と、
を用いるように構成されていることを特徴とするコントローラ。
【請求項５】
通信ネットワークによって提供されるサービスへのアクセス局（ＨＧ）であって、サービスは、前記通信ネットワークに接続された複数の無線アクセス局を介してアクセス可能であり、一無線アクセス局には、
通信ネットワークへのゲートウェイを構成するコントローラ（１１）に少なくとも位置表示を含むパラメータＳＡＩを構成せよという要求を送るための手段と、
前記位置表示に基づき、それに割り当てられた地理的なエリアにおいて、疑似値は、唯１つ発生すべきであるという作用に対する制約条件を満足するパラメータの疑似値を受信するための手段と、
が含まれることを特徴とするアクセス局（ＨＧ）。
【請求項６】
通信ネットワークによって提供されるサービスへのアクセスネットワークであって、
それには、前記通信ネットワークに接続された複数の無線アクセス局が含まれ、
一無線アクセス局には、通信ネットワークへのゲートウェイを構成するコントローラ（１１）に少なくとも位置表示を含むパラメータを構成せよという要求を送るための手段と、パラメータの疑似値を受信するための手段と、が含まれ、
前記コントローラは、前記位置表示に基づき、地理的なエリア（ＧＡ１、ＧＡ２）を前記無線アクセス局に割り当てるように、また、前記地理的なエリアでは、唯１つ発生すべきであるという作用に対する制約条件を満足するパラメータに疑似値を割り当てるように、更に、前記要求に応じて、それを無線アクセス局に送るように、適合されていることを特徴とするアクセスネットワーク。
【請求項７】
通信ネットワークからダウンロード可能な及び／又はコンピュータ判読可能媒体に記憶された及び／又はマイクロプロセッサによって実行されるようになっているコンピュータ・プログラム・プロダクトであって、それには、請求項１乃至３に記載の方法を実行するためのプログラムコード命令が含まれていることを特徴とするコンピュータ・プログラム・プロダクト。
【発明の詳細な説明】
【技術分野】
【０００１】
本発明は、サービスにアクセスするための局のパラメータを構成する方法に関する。また、本発明は、その方法を用いるサービスアクセス局のコントローラに関する。本発明は、更に、コントローラに構成要求を送ることが可能なサービスアクセス局に関する。本発明は、更に、コントローラを用いるサービスアクセスネットワークに関する。最後に、本発明は、プロセッサによって実行される時の方法を実行するためのコンピュータプログラムに関する。
【０００２】
本発明は、排他的にではないが、特に、ＧＳＭ、ＧＰＲＳ、又はＵＭＴＳ及びそれらの将来の開発品等の第２又は第３世代通信システムに適用する。
【背景技術】
【０００３】
従来技術及びその欠点
従来の携帯電話ネットワーク、例えば、ＵＭＴＳ（ユニバーサル移動体通信システム）ネットワークには、基地局として知られているパブリックアクセス局から構成された無線アクセスネットワーク及び、提示されたサービスを管理し、固定公衆電話ネットワークやインターネット等の固定ネットワークなどに通話をルーティングするコアネットワークが含まれる。そのような携帯電話ネットワークは、一般的に、セルに編成され、その各々が、基地局に関連付けられ、また、ユーザ密度、地理的地形、関連基地局のパワー等の関数として変わる大きさを有する。特に、ＵＭＴＳネットワークでは、ネットワークの隣接セルは、例えば、符号分割多元接続（ＣＤＭＡ）技術に基づく異なるスクランブルコード（ＳＣ）を用いる。
【０００４】
従来のＵＭＴＳ無線アクセスネットワークでは、パブリックアクセス局の設置は、特に、事前に構成パラメータの値を配分することによって計画される。これらのパラメータには、特に、下記のような、３ＧＰＰ技術仕様ＴＳ２３．００２において定義された一組のパラメータが含まれる。
・公衆陸上移動体ネットワーク（ＰＬＭＮ）コード。これは、所定の国における所定の運用者の移動体ネットワークを識別する。各携帯電話ネットワークは、運用者によって管理され、地理的なエリア（従来、州）に関連付けられ、それに特有のＰＬＭＮコードによって識別される。移動端末は、それが契約している運用者によって管理される携帯電話ネットワークのみにアクセス可能であったり、あるいは可能性として、その運用者が互恵的なローミング協定を有する他のネットワークにアクセスできたりする。正規のＰＬＭＮに接続されると、移動端末は、それが受信する様々なアクセス局から来る信号を監視し、最適な品質で受信された信号を選択し、その信号が来るセルにアタッチされる。
・位置エリア・コード（ＬＡＣ）。これは、セル又はセルのグループに割り当てられ、ユーザ端末の移動度を管理するために用いられ、また、位置エリアを定義する。ＬＡＣは、６５５３６の値が可能である。
・サービスエリア・コード（ＳＡＣ）。これは、セル又はセルのグループに割り当てられ、サービスエリアを定義するために用いられる。ＳＡＣは、６５５３６の値が可能である。サービスエリアがＵＭＴＳに導入され、セルのカバレッジエリア又はＡＳ（アクセス階層）層は、移動端末にサービスを提供するＮＡＳ（非アクセス階層）層から独立し得る。ブロードキャストサービスの場合、ブロードキャストエリアの定義は、無線カバレッジ判断基準にではなく、地理的なエリアの概念にリンクされ、そして、情報をブロードキャストする対象のセルは、ＵＭＴＳ“巨視的”アクセスネットワーク又はＵＴＲＡＮ（ユニバーサル地上無線アクセスネットワーク）において決定される。ＧＳＭでは、ブロードキャストは、セルに基づいており、このことは、サービス層及びアクセス層の独立性を排除し、幾つかの制限が、特定されている。サービスエリア概念によって定義されたサービスエリアは、そのエリアの３Ｇセルの数から独立した地理的なエリアである。
【０００５】
最初の２つのパラメータを連結すると、局所化エリア識別子（ＬＡＩ）と称するパラメータが形成される。ＵＭＴＳネットワークでは、例えば、そのようなパラメータは、特に、アクセス制御に用いられる。
【０００６】
これら３つのパラメータを連結すると、サービスエリア識別子（ＳＡＩ）と称するパラメータが形成される。ＵＭＴＳネットワークでは、例えば、そのようなパラメータは、移動端末の位置に基づき、例えば、最も近い非常通話処理センタに非常通話をルーティングするサービスによって用いられる。更に、他の状況において、例えば、ユーザが自分の現在位置に最も近い映画館を見つけることを可能にするサービスにおいて、このパラメータＳＡＩによって供給される位置情報を用いることが可能である。この目的のために、移動体加入者のＳＡＩ値は、ネットワークによって復旧され、地理的なエリアに変換され、これは、互いに関係づけられ、サービスエリアの使用例として言及できる。
【０００７】
従って、サービスアクセス局用のこれらのパラメータの内の１つに値を割り当てる段階は、或る制約条件、例えば、パラメータＬＡＩ及びＳＡＩと同様に、アクセス局の地理的な位置にリンクされた制約条件を満足しなければならないことが、明白である。しかしながら、運用者ネットワークでは、どこにアクセス局が設置されるかを規定するのは、運用者であるため、これらの制約条件を満足しても、何らかの特別な問題が生じることはない。
【０００８】
従来技術の欠点
標準の従来技術によるアクセスネットワークの１つの欠点は、それが設置される時にネットワークによって考慮すべきこととして、新しいアクセス局が、必ず計画され、従って、事前に構成されていなければならないことである。
【０００９】
現在、移動通信ネットワークの拡張は、移動体ネットワークと固定電話ネットワーク（公衆交換電話網（ＰＳＴＮ）又はインターネット等）との間において収束を提示する方向に向いている。
【００１０】
この枠組みが与えられた場合、運用者の中には、自分のクライアントに、専用の個人又は企業に関わらず、家庭又は企業敷地内において、無線カバレッジ（第２世代（２Ｇ）、第３世代（３Ｇ）又は３Ｇ（Ｂ３Ｇ）以降）を提供することを考える運用者がいる。この提供は、例えば、家庭における無線アクセスネットワークの形態で行う。あるいは、例えば、非同期デジタル加入者回線（ＡＤＳＬ）タイプの高ビットレートアクセスを提供するモデムに接続された、又は、高ビットレートネットワーク（例えば、ファイバー・トゥ・ザ・ホーム（ＦＴＴＨ））へのアクセスを提供する何らかの他の設備に接続された企業に限定された無線アクセスネットワークの形態で行う。以下、簡単にするために、表現「専用無線アクセス局」とは、そのようなアクセス局及びそれが接続されている高ビットレートネットワークへのアクセスを提供する設備からなるシステムを意味する。
【００１１】
各人は、従って、自分のアパート又は家をカバーする自宅用の無線アクセス局を有し得る。同様に、企業の場面では、会社は、１つ又は複数の無線アクセス局をその敷地に設けて、その敷地をカバーし得る。この家庭又は職場アクセス局には、その無線カバレッジエリアへのアクセスを一組のユーザ、例えば、家族、友達、企業の従業員等に制限するアクセス制御システムを含み得る。
【００１２】
しかしながら、この種の家庭用無線カバレッジサービスを導入すると、アクセスネットワークにおけるその位置が、あらかじめ計画されない専用アクセス局を構成するという問題を生じる。
【００１３】
更に、そのような何らかの家庭無線カバレッジサービスを導入すると、運用者の通信ネットワークへのアクセス局の数が増加するという問題が生じる。この理由は、大多数の専用アクセス局が、運用者によって既に配備された基地局タイプのパブリックアクセス局に追加される可能性があるためである。
【発明の概要】
【発明が解決しようとする課題】
【００１４】
本発明の特定の目的は、従来技術の欠点を軽減することである。
【００１５】
更に具体的には、アクセスネットワークを計画する場合、考慮されなかったサービスアクセス局を動的に構成するための解決策を提供する要件が、存在する。
【００１６】
本発明の他の目的は、増加する数の専用アクセスネットワークに容易に適応するアクセスネットワークにおけるサービスアクセス局を構成する方法を提案することである。
【課題を解決するための手段】
【００１７】
本発明は、通信ネットワークによって提供されるサービスへのアクセスを提供する無線アクセス局のパラメータＳＡＩを構成する方法を提案することによって、この要件に応じる。
【００１８】
本発明の方法は、サービスが、前記通信ネットワークへのアクセスネットワークを形成する複数の無線アクセス局を介してアクセス可能であり、前記方法には、以下のステップが含まれる点において注目に値する。即ち、
・無線アクセス局の位置の表示を含むパラメータＳＡＩの構成要求を受信すると、前記位置表示に基づき、地理的なエリアを前記無線アクセス局に割り当てるステップ。
・前記地理的なエリアでは、疑似値は、唯１つ発生すべきであるという作用に対する制約条件を満足するパラメータに疑似値を動的に割り当てるステップ。
・前記無線アクセス局からサービスへのアクセス要求を受信すると、前記地理的なエリア用の通信ネットワークによって定義された可能な値のリストから選択されたパラメータＳＡＩの値に疑似値を変換するステップ。
【００１９】
従って、本発明は、アクセスネットワークにおける未計画サービスアクセス局のパラメータＳＡＩを構成する技術的問題を解決する。本発明によれば、新しく設置される未計画無線アクセス局は、その位置の表示が含まれるそのパラメータＳＡＩの構成に対する要求をネットワークコントローラに送る。対象無線アクセス局の地理的な位置を与えると同時に、位置表示は、その環境を、特に、隣接する無線アクセス局の位置及び／又は構成の観点で定義し得る。この要求に応答して、コントローラは、その位置にリンクされた少なくとも１つの制約条件を満足するパラメータＳＡＩの値を前記無線アクセス局に割り当てる。それは、位置表示に基づき、無線アクセス局に地理的なエリアを割り当てることによって始まる。
【００２０】
パラメータＳＡＩは、ユーザ端末の位置に基づき、サービスを実現するために又は非常通話をローカル非常通話処理センタにルーティングするために、用いられる。この種のサービスの場合、ＳＡＩは、ローカル処理センタに整合される。通信ネットワークの第１制約条件は、地理的なエリアに対して、限定した数の可能なＳＡＩ値が存在することである。所定の地理的なエリアが、ローカル非常通話処理センタにアタッチされるという事実は、地理的なエリアに設置された専用アクセス局から来る全ての非常通話が、そのローカル非常通話処理センタにルーティングされることを保証する。
【００２１】
第２制約条件は、所定のＰＬＭＮの地理的なエリアの無線アクセス局を一意的に識別するパラメータＳＡＩに値を割り当てることを課す。この第２制約条件にリンクされる問題は、通信ネットワークが、パラメータＳＡＩの限定した数の可能な値を提供するという事実から生じる。地理的なエリアにおける無線アクセス局の数が増加する場合、通信ネットワークによって定義される可能な値の最大数に急速に達し、この第２制約条件を満足するのが不充分になるリスクがある。
【００２２】
本発明は、疑似値を用いるが、これら疑似値は、第２制約条件を満足し、また、複数の無線アクセス局とコントローラとの間の交信のためだけに用いられる。そして、これらの疑似値は、第１制約条件を満足するパラメータＳＡＩの値に、即ち、前記地理的なエリア用の通信ネットワークによって定義された可能な値のリストから選択されるパラメータＳＡＩの値に、コントローラによって変換される。
【００２３】
このことの１つの利点は、通信ネットワークによって定義された可能な値の数を増やす必要がないことである。第１及び第２制約条件は、従って、これがその資源を過負荷状態にすることなく、同時に満足することができる。第２の利点は、無線アクセス局を構成しても通信ネットワークの運用への影響がないことであり、特に、コアネットワークのそれに対する影響はなく、これは、特に、コアネットワークの変更は、運用及び保守の理由に限定されるべきであることから、有益である。特に、幾つかの変更は、動的に実施できず、運用者は、有限で限定された数の計画値によるノードの事前構成を余儀なくされる。
【００２４】
従って、本発明は、新しく設置された無線アクセス局のパラメータＳＡＩを、その地理的な位置を考慮しつつ、動的に構成し、また、頻繁に変更されやすい地理的な環境を有する無線アクセス局を、例えば、新しい無線アクセス局を設置することによって、定期的に再構成する。例えば、無線アクセス局におけるパラメータＳＡＩを構成するプロセスを有効期間と関連付ける段階を考え得る。一旦、その期間が過ぎると、アクセス局は、通信ネットワークへのその構成要求を繰り返す。定期的な再構成の利点は、それが、アクセス局の環境に対する変更を考慮することによって、アクセスネットワークにおける構成パラメータ値の割当てを調和させることである。
【００２５】
本発明は、特に、第２世代（２Ｇ）、第３世代（３Ｇ）及び上述した３Ｇ（Ｂ３Ｇ）以降のタイプの家庭専用無線アクセス局、及び移動通信ネットワークへのゲートウェイを構成するコントローラに適用する。更に、運用者が設置する新しい無線アクセス局を再構成したいと望まない運用者の“巨視的”ネットワークの無線アクセス局に適用し得る。
【００２６】
１つの利点のある特徴によれば、動的な割当てステップには、前記地理的なエリアにおけるパラメータＳＡＩに利用可能な疑似値のリストを含むローカルデータベースに問い合わせるサブステップと、利用可能な疑似値の前記リストから、前記無線アクセス局に割り当てられる疑似値を選択するサブステップと、前記リストから選択された疑似値を削除するようにリストを更新する段階と、が含まれる。
【００２７】
これの１つの利点は、データベースが、利用可能な疑似値の最新のリストを提供することである。
【００２８】
変換ステップには、利点として、前記地理的なエリアにおける前記パラメータ用に選択された可能な値に前記疑似値を変換するための表を含むデータベースに問い合わせるサブステップが含まれる。
【００２９】
これの利点は、コントローラには、無線アクセス局とコントローラとの間で用いられる疑似値を第１制約条件を満足するパラメータＳＡＩの値に整合する方法が分かっていることである。コントローラによって送られる要求において、ネットワークによって理解されるのは、この値である。
【００３０】
本発明の他の態様によれば、更に、本構成方法は、以下の特徴を有する。
・前記割当てステップは、前記地理的なエリアの前記無線アクセス局に隣接する専用アクセス局における前記パラメータの前記値の単一の発生を課す第３制約条件を満足する。
・前記割当てステップには、前記無線アクセス局に隣接する無線アクセス局に割り当てられた値を復旧するサブステップと、前記リストから隣接する値を除去することによって、前記無線アクセス局用の可能な値のリストを更新するサブステップと、が含まれる。
【００３１】
この第３制約条件は、パラメータＬＡＣに関し、特に、アクセス制御メカニズムによって用いられる可能性があり、また、それ自体、隣接するアクセス局に対して無線アクセス局を一意的に識別しなければならないパラメータＬＡＣに関する。そこで、パラメータＬＡの異なる値が、各無線アクセス局に対して、又は少なくとも隣接する無線アクセス局（同じ位置エリアであることを許容し得る程度に離れている２つの無線アクセス局）に対して、存在することは有益である。３ＧＰＰ技術仕様ＴＳ２４．００８において、例えば、これらのパラメータ値は、移動端末が、それ自体を無線アクセス局にアタッチしようとする場合、位置エリア更新手続のトリガをかける結果になる。そして、ネットワークは、正確にどのアクセス局に加入者が配置されているかが分かる。この制約条件がない場合、移動端末は、それ自体を隣接アクセス局にアタッチすることになるが、ネットワークには、このことについて通知されない。
【００３２】
復旧サブステップは、無線アクセス局それ自体によって実施することができ、これは、隣接無線アクセス局によってブロードキャストされたメッセージを監視し、それらをネットワークエンティティに、例えば、コントローラに転送する。そのようなメッセージは、構成パラメータ値、例えば、２Ｇ又は３Ｇ無線アクセス局のパラメータＬＡＣの値又は３Ｇ無線アクセス局のパラメータＳＣの値を含む。
【００３３】
復旧サブステップは、更に、コントローラによって実施し得るが、これは、隣接無線アクセス局に問い合わせて、それらに割り当てられた構成パラメータ値を確認する。パラメータＳＡＣ等のこれらのパラメータの値は、隣接無線アクセス局によってブロードキャストされない。この点について、コントローラは、例えば、構成要求を提出する無線アクセス局から、隣接無線アクセス局の位置の表示を事前に受信する必要があることに留意されたい。
【００３４】
本発明の同じ態様によれば、構成を待っている無線アクセス局に隣接する無線アクセス局に割り当てられたパラメータ値を復旧すると、ローカルデータベースによって供給されたパラメータの可能な値のリストの更新が可能になる。
【００３５】
本発明の方法は、好適には、以下のように構成される。
・前記割当てステップは、前記無線アクセス局に隣接する前記地理的なエリアにおける無線アクセス局間で前記パラメータ値の例の均一な配分を課す第４制約条件を満足する。
・前記リストは、複数の無線アクセス局用の前記値の多数の例を示す。
・選択サブステップは、前記地理的なエリアにおいて既に割り当てられた発生数が最も低い値を選択する。
【００３６】
この第４制約条件は、特に、パラメータＬＡＣを構成する段階に関し、これに対しては、第３制約条件に累積される。上述したように、ユーザ端末位置更新手続は、ユーザ端末がアタッチしようと試みた、それらのＬＡＣパラメータによって識別される最新のアクセス局のリストを用いる。従って、第４制約条件は、明らかに、パラメータＬＡＣの同じ値を有する２つの無線アクセス局がこのリストに同時に存在するリスクを最小限に抑えることを目標にしている。この第４制約条件を満足するために、選択サブステップは、例えば、地理的なエリアに設置された複数の無線アクセス局のパラメータ値の例の数を示す前記リストに基づき、そのリストから、前記地理的なエリアにおいて既に割り当てられた例の数が最も低い値を選択する疑似ランダムアルゴリズムを用いる。
【００３７】
本発明は、更に、通信ネットワークによって提供されるサービスへのアクセスを提供するアクセス局のコントローラに関する。本発明のコントローラは、前記アクセス局が、前記通信ネットワークへのゲートウェイを構成する前記コントローラに接続された前記ネットワークのサービスへの無線アクセス局であり、以下の点において注目に値する。即ち、前記コントローラは、以下の手段を用いるように構成される。
・無線アクセス局の位置表示を含むパラメータＳＡＩの構成に対する要求を受信すると、前記位置表示に基づき、前記無線アクセス局に地理的なエリアを割り当てる段階と、
・前記地理的なエリアでは、疑似値は、唯１つ発生すべきであるという作用に対する制約条件を満足するパラメータに疑似値を動的に割り当てる段階と、
・前記無線アクセス局からサービスにアクセスせよという要求を受信すると、前記地理的なエリアに対して通信ネットワークによって定義された可能な値のリストから選択されたパラメータの値に疑似値を変換する段階と、を用いるように構成される。
【００３８】
本発明のこの態様は、特に、上述の如く定義された２Ｇ又は３Ｇ専用アクセス局に関するが、これらは、専用アクセス局と通信ネットワークとの間で全てのトラフィックが通過するコントローラに接続し得る。この種のコントローラは、それが責任を負う全てのアクセス局の動的集中構成を提供し、また、運用者の“巨視的”アクセスネットワークのパブリックアクセス局にも対応することができる。
【００３９】
本発明は、更に、通信ネットワークが提供するサービスへのアクセス局に関する。
【００４０】
前記アクセス局は、サービスが、前記通信ネットワークに接続された複数の無線アクセス局を介してアクセス可能である場合、以下の点において注目に値する。即ち、前記無線アクセス局には、少なくとも位置表示を含むパラメータＳＡＩを構成せよという要求を、通信ネットワークへのゲートウェイを構成するコントローラに送るための手段と、前記位置表示に基づき、それに割り当てられた地理的なエリアでは、疑似値は、唯１つ発生すべきであるという作用に対する制約条件を満足するパラメータＳＡＩの疑似値を受信するための手段と、が含まれる。
【００４１】
これの利点は、コントローラが、アクセスネットワークにおける既に構成された無線アクセス局の全体像を有することである。更に、この解決策は、構成機能を集中化する利点と、無線アクセス局を更に複雑化させない利点とを提供する。
【００４２】
本発明は、更に、通信ネットワークによって提供されるサービスへのアクセスネットワークに関する。前記ネットワークは、サービスが、前記通信ネットワークに接続された複数の無線アクセス局を介してアクセス可能である場合、以下の点において注目に値する。即ち、無線アクセス局には、少なくとも位置表示を含むパラメータＳＡＩを構成せよという要求を、通信ネットワークへのゲートウェイを構成するコントローラに送るための手段と、パラメータの疑似値を受信するための手段と、が含まれる。前記コントローラは、前記位置表示に基づき、前記無線アクセス局に地理的なエリアを割り当てるように、また、前記地理的なエリアでは、唯１つ発生すべきであるという作用に対する制約条件を満足するパラメータに疑似値を割り当てるように、更に、前記要求に応じて、それを無線アクセス局に送るように、適合されている。
【００４３】
本発明によれば、前記専用アクセス局は、前記コントローラに構成要求を送り、前記コントローラは、前記動的割当て手段を用いる。
【００４４】
これの利点は、割当てが、複数の無線アクセス局に対して集中することである。コントローラは、それが責任を負う無線アクセス局のパラメータ構成の全体像を有する。この集中解決策は、更に、無線アクセス局の構造が更に複雑になることを回避する。
【００４５】
最後に、本発明は、通信ネットワークからダウンロード可能な及び／又はコンピュータ判読可能媒体に記憶される及び／又はマイクロプロセッサによって実行されるようになっているコンピュータ・プログラム・プロダクトに関する
【００４６】
この種類のコンピュータ・プログラム・プロダクトは、本発明の方法を実行するためのプログラムコード命令が含まれる点で注目に値する。
【図面の簡単な説明】
【００４７】
【図１】通信ネットワークによって提供されるサービスへのアクセスを提供し、また、コアネットワークと家庭無線カバレッジサービス専用のアクセスネットワークとの間のゲートウェイとして機能する本発明のコントローラによって管理される無線アクセス局のネットワークのアーキテクチャを示す図。
【図２】専用サービスアクセス局のパラメータを構成するための本発明の方法のステップを示す図。
【図３】ユーザ端末の位置に基づき、本発明の方法によって構成されたアクセス局からサービスへの通話のルーティングを示す図。
【図４】本発明の一態様に基づく方法による地理的なエリアの専用アクセス局へのパラメータＬＡＣ、ＳＡＣの割当てを示す図。
【発明を実施するための最良の形態】
【００４８】
本発明の他の利点及び特徴は、例示のためにまた非限定的な例としてのみ与えられた本発明の１つの特定の実施形態の以下の説明を解釈すると、更に、添付図面から、更に明らかになる。
【００４９】
専用アクセス局から運用者の加入者に家庭無線カバレッジを提供する新しいサービスを導入する枠組みにおいて、本発明の一般的な原理は、地理的なエリアにおけるそれらの配備及び設置があらかじめ計画されていなかった専用アクセス局を動的に構成することに基づく。
【００５０】
本明細書全体において、表現“家庭無線カバレッジ”とは、幾つかの実施形態では、家庭、共同体又は企業枠組みかに関わらず、或る正規の加入者にアクセスを限定できる専用無線アクセス局からアクセス可能な無線カバレッジを意味することに留意されたい。
【００５１】
本発明の枠組みにおいて、表現“無線アクセス局”とは、専用アクセス局又はホームゲートウェイ（ＨＧ）、即ち、ユーザ（個人、共同体又は企業）の敷地に設置され、また、ユーザの端末への無線アクセス及びＩＰ／ＤＳＬ（インターネットプロトコル／デジタル加入者回線）輸送ネットワークへのアクセスを提供する設備を意味する。これは、特に、ＡＤＳＬネットワークに接続され、３Ｇ＿ＵＭＴＳ無線アンテナが備えられ、また、無線アンテナとホームゲートウェイとの間のＵＭＴＳ／ＩＰインターフェイスモジュールが含まれるホームゲートウェイであってよい。
【００５２】
明らかに、複数のホームゲートウェイは、複数のマイクロセル又はフェムトセルとして体系化された“微視的”アクセスネットワークを形成し、その各々は、ホームゲートウェイの特定の無線アンテナに関連付けられる。
【００５３】
本発明の枠組みにおいて、表現“無線アクセス局”とは、更に、運用者の２Ｇ又は３Ｇ“巨視的”ネットワークへの公衆無線アクセス局を意味する。
【００５４】
説明の残りは、“微視的”ネットワークを形成する専用アクセス局という脈絡で、本発明の実施形態について述べる。
【００５５】
これら専用アクセス局へのアクセスは、コントローラによって制御されるが、これは、ＨＧ専用アクセスネットワークを管理し運用者敷地に設置された設備である。ＨＧの全ての着信及び発信エンドユーザトラフィックは、コントローラが管理する。
【００５６】
本発明は、２Ｇセル方式ネットワーク（ＧＳＭ、ＧＰＲＳ）、３Ｇセル方式ネットワーク（ＵＭＴＳ）、及びそれらの将来の開発品に適用し得る。
【００５７】
第２世代ネットワークという脈絡では、専用アクセス局は、顧客敷地に設置されたＢＴＳ（送受信基地局）であってよく、また、コントローラは、ＢＳＣ（基地局コントローラ）であってよい。
【００５８】
第３世代ネットワークという脈絡では、専用アクセス局は、顧客敷地に設置されたノードＢ（ＮｏｄｅＢ）であってよく、また、通常、ＲＮＣ（無線ネットワークコントローラ）、ＭＳＣ（移動体交換局）又はＳＧＳＮ（サービス提供ＧＰＲＳサポートノード）等の３Ｇネットワークのエンティティに関連した機能を提供し得る。コントローラは、ＲＮＣのようであるが、追加機能、特に、アクセス制御メカニズムに関する機能を有し得る。
【００５９】
説明の残りは、ＵＭＴＳネットワークの場面における本発明の特定の一実施形態に全て供する。
【００６０】
図１は、家庭無線カバレッジサービス専用で、複数の専用アクセス局（その３つのＨＧ１、ＨＧ２、及びＨＧ３を示す）を含む“微視的”アクセスネットワークのアーキテクチャを示す。専用アクセス局ＨＧ１乃至ＨＧ３は、各々、インターネット等のＩＰネットワーク１０又はＡＤＳＬネットワークを介してコントローラ１１に接続されている。コントローラ１１は、それがその一部である専用アクセス局ＨＧ１乃至ＨＧ３からなるアクセスネットワークと、提供されたサービス及び固定公衆電話ネットワークやインターネット等の固定ネットワーク（図１には示さず）への通話のルーティングを管理する運用者のコアネットワーク１２と、の間のゲートウェイを構成する。
【００６１】
コアネットワーク１２には、以下のような多数の標準ＵＭＴＳネットワークエンティティが含まれる。
・移動体交換局（ＭＳＣ）１２１。これは、それが管理する地理的なエリアにおいて登録されている移動端末１乃至４及び１３１の回路網モードサービスの管理に対して責任を負っている。
・ホーム・ロケーション・レジスタ（ＨＬＲ）１２２。これは、ユーザの申し込み条件及び申し込んだサービスの特徴に関する情報を含むデータベースである。これは、更に、（加入者が位置するＭＳＣ又はＳＧＳＮ等の）相対的に粗い加入者位置情報を含む。
・サービス提供ＧＰＲＳサポートノード（ＳＧＳＮ）１２３。これは、データをパケットモードでインターネット、イントラネット・ネットワーク、又はサービスプラットホーム（及びその逆）に転送する。この接続は、ゲートウェイＧＰＲＳサポートノード（ＧＧＳＮ）１２４の形態でデータルーティングゲートウェイを介して行われる。
それらの役割及び機能は、標準ＵＭＴＳネットワークのものと同じであり、従って、ここでは、更に詳細に述べない。
【００６２】
更に、運用者の“巨視的”ＵＭＴＳネットワークを図１に示すが、これは、複数のユーザ移動端末１３１からアクセス可能なパブリックアクセス局、即ち、基地局からなるアクセスネットワーク１３の形態であり、このアクセスネットワーク１３は、コアネットワーク１２に接続される。
【００６３】
各専用アクセス局ＨＧ１乃至ＨＧ３は、アクセス制御メカニズムが実装されていれば、１つ又は複数の正規の加入者端末によってアクセスし得る。アクセス制御メカニズムが実装されていない場合、それは、任意の端末によってアクセスし得る。
【００６４】
そのような移動端末には、移動セル方式無線通信端末、通信用個人携帯情報端末（ＰＤＡ）、通信用ラップトップコンピュータ、及び運用者のネットワークと通信を行うことが可能なスマートホンを含み得る。本発明の脈絡で用いるために何ら変更する必要がない標準ＵＭＴＳ移動端末が存在する。
【００６５】
ホームゲートウェイＨＧ１のパラメータを構成するための本発明の方法について、特に、図２を参照して、以下に述べる。
【００６６】
無線ネットワークに接続する場合、顧客の敷地に新しく設置されたホームゲートウェイＨＧ１は、構成要求２０をコントローラ１１に送る。対象のホームゲートウェイ用のコントローラ１１のアドレスは、例えば、サービスへの申し込み時、顧客に伝達されるか、又はＤＮＳ（ドメイン名システム）要求によって分析される。そのような要求には、ホームゲートウェイ用の位置表示が含まれる。これは、例えば、顧客が加入するＡＤＳＬ接続のＩＰアドレス、ＰＬＭＮもしくはＬＡＣ等の端末をカバーする“巨視的”２Ｇもしくは３Ｇネットワークに関する情報、又はセル識別子である。
【００６７】
この要求は、少なくとも１つの構成パラメータに関する。以下、特に、上述の如く定義されたパラメータＬＡＣ、ＳＡＣ、及びＳＡＩに対して考察を行う。しかしながら、本発明は、これらの特定の構成パラメータに限定されるものではなく、また、ホームゲートウェイの地理的な位置にリンクし得る任意の種類の構成パラメータ、例えば、スクランブルコードに適用される。そのようなスクランブルコードは、符号分割多元接続（ＣＤＭＡ）アクセス技術を実現する３Ｇネットワークに用いられ、同一送信周波数を用いる２つの隣接する端末の通話間の干渉の影響を低減する。
【００６８】
要求を受信すると、コントローラ１１は、前記ホームゲートウェイＨＧ１に地理的なエリアＧＡ１を要求に含まれる位置表示の機能として割り当てる。地理的なエリアの選択及びそのサイズは、特に、対象の構成パラメータの種類に依存することに留意されたい。例えば、パラメータＳＡＩ、ＬＡＣ、及びＳＡＣを構成する場合、地理的なエリアは、町又は区域に対応し、例えば、その町又は区域の郵便番号によって指定し得る。
【００６９】
そして、コントローラは、対象の地理的なエリア用の対象のパラメータの可能な値のリストを含むデータベース１４に問い合わせる。
【００７０】
そのようなデータベースは、ネットワークに配置し、集中管理し、また、多数のコントローラが、本発明のアクセスネットワークに配備される場合、全てのコントローラによる問い合わせに利用可能にできる。これらは、更に、１つのコントローラに内在してもよい。
【００７１】
コントローラは、データベース１３によって供給される値のリストに含まれるホームゲートウェイＨＧ１の種類用のパラメータ値であって、ホームゲートウェイＨＧ１の位置にリンクされる少なくとも１つの制約条件を満足するパラメータ値を選択する。最後に、応答メッセージ２２をホームゲートウェイＨＧ１に送る。
【００７２】
本発明の一態様によれば、コントローラは、“巨視的”ネットワーク用の通信ネットワーク１２によって定義された可能な値のリストからのパラメータ値の選択に関する第１制約条件を満足するホームゲートウェイＨＧ１にパラメータ値を割り当てなければならない。
【００７３】
パラメータＬＡＣの場合、例えば、所定のＰＬＭＮに対して、従って、所定の国の所定の運用者の移動体ネットワークに対して、６５５３３の可能な値がある。そして、これら６５５３３の可能な値は、移動体ネットワークのＭＳＣ間で分割される。その結果、ＭＳＣ１２１にアタッチされたコントローラ１１の場合、それが責任を負うホームゲートウェイのパラメータＬＡＣを構成するための可能な値の数は、通信ネットワーク１２によってＭＳＣ１２１の地理的なエリアＧＡに割り当てられた６５５３３の値の部分集合である。例えば、パリの１５番目の行政区の場合、ＬＡＣの２つの値があり、これは、以下、ＬＡＣＣＮ（ＣＮは、通信ネットワーク（Ｃｏｍｍｕｎｉｃａｔｉｏｎｓ＿Ｎｅｔｗｏｒｋ）を表す）と呼ばれ、１及び２に等しい。
【００７４】
対照的に、パラメータＳＡＣの場合、所定のＭＳＣに対して、６５５３４の可能な値があるが、（パリの１５番目の行政区の本例の場合）、通信ネットワークは、同じエリアの２つのＬＡＩにおけるパラメータＳＡＣＣＮ＝１の再使用を規定し、これにより、通信ネットワークにおいて、ＳＡＩＣＮの２つの値が与えられる。
【００７５】
本発明の他の態様によれば、前記割当てステップは、前記地理的なエリアにおける前記パラメータの値の単一の発生を課す第２制約条件を満足する。
【００７６】
この第２制約条件は、移動端末のアタッチ局を決定するために用い得るパラメータＳＡＩに適用する。この同じパラメータが、通信ネットワーク側において用いられ、非常通話が、移動端末の位置の関数としてルーティングされる。しかしながら、通信ネットワークにおけるこの限定した数の値は、同じ地理的なエリアにおいて多数のホームゲートウェイを含む“微視的”ネットワークの用途に適合しておらず、また、その実際の数は、運用者が制御できるものではないことが、明らかである。
【００７７】
この問題を解決するために、本発明の方法の割当てステップは、前記ホームゲートウェイＨＧにパラメータの疑似値を割り当て、前記疑似値は、この第２制約条件を満足するように選択される。
【００７８】
この第２制約条件は、第１制約条件とは独立に又はそれと組み合わせて、パラメータに適用し得ることに留意すべきである。
【００７９】
パラメータＳＡＩの場合、例えば、２つの制約条件が、組み合わせて満たされることが望ましい。従って、同じ地理的なエリアにおいて、疑似値を用いると、通信ネットワーク側において、非常通話に対する変換及びルーティング表において限定した数のＳＡＩを保証するのと同時に、可能な値の極めて長いリストが可能になる（特に、固有の値ＳＡＩを端末に割り当てることができる）。表１に述べた例を参照すると、運用者は、従って、１５番目の行政区からなる地理的なエリアに対して、パラメータＳＡＩの２つの値だけを通信ネットワークにおいて宣言するのと同時に、無線アクセス局においてＳＡＩの１３．１０７．０００の疑似値を用い得る。
【００８０】
以下の表は、通信ネットワーク側に割り当てられたＳＡＩＣＮ値及びアクセス局にパラメータを割り当てるために用い得る疑似ＳＡＩ値を与える。従って、ＳＡＩは、２０８−０１−６−１５と示され、２０８は、ＭＣＣ（移動体国コード（Ｍｏｂｉｌｅ＿Ｃｏｕｎｔｒｙ＿コード）：２０８は、フランス）であり、０１は、ＭＮＣ（移動体ネットワークコード（Ｍｏｂｉｌｅ＿Ｎｅｔｗｏｒｋ＿Ｃｏｄｅ）：０１は、オレンジ）であり、６は、ＬＡＣであり、１５は、ＳＡＣである。
【表１】
2010507306.tif 000003
【００８１】
ネットワークエンティティ、例えば、コントローラ１１は、利点として、データベース１４において、利用可能な疑似値のリストを調べる。それは、リストから疑似値を選択した場合、選択された値を利用可能な値のリストから除去することによって、リストを更新する。
【００８２】
前記ホームゲートウェイからサービスにアクセスせよという要求を受信すると、本発明の方法は、第１制約条件を満足する前記パラメータの値に疑似値を変換するステップを実行する。
【００８３】
パラメータＳＡＩは、ＰＬＭＮ、ＬＡＣ、及びＳＡＣ値を連結することによって形成されることを思い起こされたい。この場合、ＰＬＭＮは、所定の国における所定の運用者用の固定値を有する。その結果、固定ＰＬＭＮにおけるパラメータＳＡＩの構成は、上述の如く定義されたパラメータ（ＬＡＣ、ＳＡＣ）のそれに密接にリンクされる。
【００８４】
通信ネットワークによって定義された可能な値に疑似値を変換するステップは、利点として、データベース、例えば、同じデータベース１４に記憶された対応表を調べることによって、実行される。
【００８５】
図３は、一例として、ホームゲートウェイＨＧ１にアタッチされた移動端末１から来る非常通話のルーティングを示す。ホームゲートウェイＨＧ１は、パリの１５番目の行政区からなる地理的なエリアに配置される。端末１は、通話確立要求をホームゲートウェイＨＧ１に送り（ステップ３０）、これは、そのコントローラ１１に要求を転送する（ステップ３１）。この転送は、ＩＰネットワーク１０（図３には示さず）を介して伝達されるＩＰフレームに通話確立要求を封入することによって行われることに留意されたい。この要求には、本発明により割り当てられたパラメータＳＡＩの疑似値を含む、ホームゲートウェイＨＧ１用の構成パラメータが含まれる。この要求を受信すると、コントローラ１１は、この疑似値を、通信ネットワークによって定義されたパラメータＳＡＩの値に変換するが、この値は、ＳＡＩの固有で明白な値を保証する。そして、変換パラメータ値を含む要求は、Ｉｕ−ＣＳインターフェイスを介して、ＭＳＣにルーティングされる（ステップ３２）。ＲＮＣとＭＳＣとの間のこの種のインターフェイスは、３ＧＰＰ技術仕様ＴＳ２５．４１０によって規定される。パラメータＳＡＩのこの固有で明白な値を用いて、ＭＳＣは、通話を最も近いローカル非常通話処理センタＬＣ１にルーティングでき（ステップ３３）、また、地理的なエリアに基づき、その同じ非常通話処理センタに加入者の現在位置、例えば、移動端末がアタッチされているホームゲートウェイの郵便番号を提供し得る。
【００８６】
本発明に基づく、ホームゲートウェイＨＧ１のパラメータＳＡＩへの第２制約条件を満足する疑似値の動的割当て、従って、第１制約条件を満足する値へのその変換は、適切なローカル処理センタへの非常通話の正しいルーティングを可能にする。
【００８７】
更に、本発明に基づき第２制約条件を満たすと、ブロードキャスト等の特定の用途に対する利点がある。３ＧＰＰ技術仕様ＴＳ２５．４１９において規定されたブロードキャスト用途により、サービス端末は、そのサービスエリア内において、それにアタッチされた移動端末へメッセージをブロードキャストできるようになる。明らかに、ホームゲートウェイに特有のＳＡＩ疑似値を割り当てると、サービスの提供が可能になり、そのサービスへの加入者は、例えば、ホームゲートウェイの加入者に言及して、“ようこそ！“姓名”のホームゲートウェイへ”という類の個人的メッセージのブロードキャストが可能になる。
【００８８】
本発明のこの態様は、ホームゲートウェイＨＧが、ＲＮＣ機能を実現し、また、従って、対象のパラメータの値を解釈する場合にのみ実現可能であることに留意すべきである。この特定の例では、コントローラは、それがコアネットワークから受信するホームゲートウェイＨＧに宛てられたメッセージを中継し、そして、これを行うために、上述した第１及び第２制約条件を満足する疑似値にパラメータの値を変換する。対照的に、ＲＮＣ機能が、コントローラ１１で実現される場合、パラメータＳＡＣの値の意味は、コントローラに局在したままであり、パラメータＳＡＩは、一切ホームゲートウェイに割り当てられない。
【００８９】
本発明の他の態様によれば、割当てステップは、第３制約条件、即ち、前記地理的なエリアにおける前記ホームゲートウェイに隣接するホームゲートウェイ間において、前記パラメータの前記値は、唯１つ発生すべきであることを満足するように意図されている。この第３制約条件は、特に、パラメータＬＡＣに関し、パラメータＬＡＣは、アクセス制御メカニズムによって用いられ、例えば、ホームゲートウェイへのアクセスを制御する。それは、第１及び第２制約条件と独立して又は組み合わせて考慮し得る。パラメータＬＡＣの場合、第３制約条件は、選択された値が、通信ネットワークによって定義された値のリストに存在しなければならないことから、第１番目と組み合わせて考慮し得るが、独特性の観点で第２制約条件は、適切ではない。
【００９０】
この点では、少なくとも、隣接するホームゲートウェイの場合、パラメータＬＡの異なる値で各ホームゲートウェイのパラメータを設定することが望ましい（同じ位置エリアを有する２つの専用アクセス局は、極めて遠い場合、許容し得る）。一例として、上述した３ＧＰＰ技術仕様ＴＳ２４．００８を参照すると、そのようなパラメータ値は、ホームゲートウェイにアタッチしようとする場合、移動端末において位置エリア更新手続のトリガをかけるという結果を有する。この手続の場面では、移動端末が、パラメータＬＡＣの異なる値を通して、連続的にアタッチしようとする可能性がある２つの端末間の区別を行うことは、不可欠である。
【００９１】
この第３制約条件を満足するために、割当てステップは、対象のパラメータに対して、隣接するホームゲートウェイに割り当てられた値を復旧しなければならない。この復旧は、ブロードキャストするメッセージを監視することによって、その近隣の構成に関する情報を収集し、そして、収集された情報をコントローラに送るホームゲートウェイによって行うことができる。それは、また、構成されるのを待っている端末に隣接する端末に問い合わせるコントローラそれ自体によって、実現し得る。
【００９２】
これら双方の状況において、コントローラは、ホームゲートウェイに隣接する端末を事前に知る必要がないことに留意すべきである。従って、コントローラに隣接端末に関する位置情報を、それが、それらを識別し、そのデータベースにおけるそれらに関する構成値を調査できるように提供することが必要である。このことは、例えば、端末それ自体によって行われる。そして、動的な割当てステップは、前記隣接値をそこから除去することによって、ホームゲートウェイ用の可能な値のリストを更新する。
【００９３】
この第３制約条件を満足する本発明に基づく動的な割当ての例については、図４を参照して、以下に述べる。本例において、この第３制約条件は、パラメータＬＡＣに適用されるばかりでなく、パラメータＳＣ（スクランブルコード）にも適用される。
【００９４】
本発明の他の態様によれば、割当てステップは、その地理的なエリアにおけるホームゲートウェイに隣接するホームゲートウェイの間でパラメータ値の例の均一な配分を課す第４制約条件を満足する。この第４制約条件は、特に、パラメータＬＡＣに関し、これについては、既に説明した通り、同じ値、従って、同じ位置エリアを有する２つの専用アクセス局は、極めて遠くに離れているならば、許容し得る。この点において、地理的なエリアは、非常事態エリアにアタッチされたエリアより大きいと見なされる。即ち、ここで対象とする地理的なエリアは、ＭＳＣによって制御されるそれである。
【００９５】
本発明のこの態様によれば、データベース１４に記憶された可能な値のリストは、ＭＳＣの地理的なエリアにおけるホームゲートウェイ用の前記値の多数の例を示し、選択サブステップは、前記地理的なエリアにおいて既に割り当てられた例の数が最も低い値を選択する。可能な値のリストからの選択には、ここに述べていないが、当業者に知られている技法の疑似ランダムアルゴリズムを用い得る。これによって、移動端末が、パラメータＬＡＣの同じ値を有するホームゲートウェイに連続的にアタッチしようとするリスクが最小限に抑えられる。
【００９６】
パラメータＬＡＣの場合、この第４制約条件は、第３制約条件に累積される。それは、しかしながら、他の種類のパラメータに対しては、第３制約条件とは独立だと見なし得る。
【００９７】
本発明のこの態様は、既に述べた他の態様とは独立に実現し得ることに留意すべきである。特に、第３及び第４制約条件の実施例は、必ずしも第１及び第２制約条件を組み合わせるとは限らない。
【００９８】
本発明の１つの特定の実施形態によれば、サービスアクセス局を構成するという本発明の方法のステップは、コントローラ１１等のデータ処理装置に組み込まれたコンピュータプログラムの命令によって決定される。このプログラムには、前記プログラムが装置にロードされ、そこで実行され、そして、前記プログラムの実行によって装置の動作が制御されると、本発明の方法のステップを実行するプログラム命令が含まれている。
【００９９】
その結果、本発明は、コンピュータプログラム、特に、本発明を実現するようになっている情報記憶媒体上のコンピュータプログラムにも適用する。このプログラムは、任意のプログラミング言語を用いたり、ソースコード、オブジェクトコード又は部分的にコンパイルされた形態等のソースコードとオブジェクトコードとの間の中間コードの形態を取ったり、又は本発明の方法を実現するために望ましい他の何らかの形態を取り得る。
【符号の説明】
【０１００】
１〜３・・・移動端末、ＨＧ１〜３・・・アクセス局、１０・・・ＩＰネットワーク、１１・・・コントローラ、１２・・・コアネットワーク、１３・・・アクセスネットワーク、１２１・・・移動体交換局、１２２・・・ホーム・ロケーション・レジスタ、１２３・・・サービス提供ＧＰＲＳサポートノード（ＳＧＳＮ）、１２４・・・ゲートウェイＧＰＲＳサポートノード（ＧＧＳＮ）、１３１・・・移動端末
【図１】
2010507306.tif 000004
【図２】
2010507306.tif 000005
【図３】
2010507306.tif 000006
【図４】
2010507306.tif 000007
【手続補正書】
【提出日】平成21年6月18日(2009.6.18)
【手続補正１】
【補正対象書類名】明細書
【補正対象項目名】全文
【補正方法】変更
【補正の内容】
【発明の詳細な説明】
【技術分野】
【０００１】
本発明は、サービスにアクセスするための局のパラメータを構成する方法に関する。また、本発明は、その方法を用いるサービスアクセス局のコントローラに関する。本発明は、更に、コントローラに構成要求を送ることが可能なサービスアクセス局に関する。本発明は、更に、コントローラを用いるサービスアクセスネットワークに関する。最後に、本発明は、プロセッサによって実行される時の方法を実行するためのコンピュータプログラムに関する。
【０００２】
本発明は、排他的にではないが、特に、ＧＳＭ、ＧＰＲＳ、又はＵＭＴＳ及びそれらの将来の開発品等の第２又は第３世代通信システムに適用する。
【背景技術】
【０００３】
従来技術及びその欠点
従来の携帯電話ネットワーク、例えば、ＵＭＴＳ（ユニバーサル移動体通信システム）ネットワークには、基地局として知られているパブリックアクセス局から構成された無線アクセスネットワーク及び、提示されたサービスを管理し、固定公衆電話ネットワークやインターネット等の固定ネットワークなどに通話をルーティングするコアネットワークが含まれる。そのような携帯電話ネットワークは、一般的に、セルに編成され、その各々が、基地局に関連付けられ、また、ユーザ密度、地理的地形、関連基地局のパワー等の関数として変わる大きさを有する。特に、ＵＭＴＳネットワークでは、ネットワークの隣接セルは、例えば、符号分割多元接続（ＣＤＭＡ）技術に基づく異なるスクランブルコード（ＳＣ）を用いる。
【０００４】
従来のＵＭＴＳ無線アクセスネットワークでは、パブリックアクセス局の設置は、特に、事前に構成パラメータの値を配分することによって計画される。これらのパラメータには、特に、下記のような、３ＧＰＰ技術仕様ＴＳ２３．００２において定義された一組のパラメータが含まれる。
・公衆陸上移動体ネットワーク（ＰＬＭＮ）コード。これは、所定の国における所定の運用者の移動体ネットワークを識別する。各携帯電話ネットワークは、運用者によって管理され、地理的なエリア（従来、州）に関連付けられ、それに特有のＰＬＭＮコードによって識別される。移動端末は、それが契約している運用者によって管理される携帯電話ネットワークのみにアクセス可能であったり、あるいは可能性として、その運用者が互恵的なローミング協定を有する他のネットワークにアクセスできたりする。正規のＰＬＭＮに接続されると、移動端末は、それが受信する様々なアクセス局から来る信号を監視し、最適な品質で受信された信号を選択し、その信号が来るセルにアタッチされる。
・位置エリア・コード（ＬＡＣ）。これは、セル又はセルのグループに割り当てられ、ユーザ端末の移動度を管理するために用いられ、また、位置エリアを定義する。ＬＡＣは、６５５３６の値が可能である。
・サービスエリア・コード（ＳＡＣ）。これは、セル又はセルのグループに割り当てられ、サービスエリアを定義するために用いられる。ＳＡＣは、６５５３６の値が可能である。サービスエリアがＵＭＴＳに導入され、セルのカバレッジエリア又はＡＳ（アクセス階層）層は、移動端末にサービスを提供するＮＡＳ（非アクセス階層）層から独立し得る。ブロードキャストサービスの場合、ブロードキャストエリアの定義は、無線カバレッジ判断基準にではなく、地理的なエリアの概念にリンクされ、そして、情報をブロードキャストする対象のセルは、ＵＭＴＳ“巨視的”アクセスネットワーク又はＵＴＲＡＮ（ユニバーサル地上無線アクセスネットワーク）において決定される。ＧＳＭでは、ブロードキャストは、セルに基づいており、このことは、サービス層及びアクセス層の独立性を排除し、幾つかの制限が、特定されている。サービスエリア概念によって定義されたサービスエリアは、そのエリアの３Ｇセルの数から独立した地理的なエリアである。
【０００５】
最初の２つのパラメータを連結すると、局所化エリア識別子（ＬＡＩ）と称するパラメータが形成される。ＵＭＴＳネットワークでは、例えば、そのようなパラメータは、特に、アクセス制御に用いられる。
【０００６】
これら３つのパラメータを連結すると、サービスエリア識別子（ＳＡＩ）と称するパラメータが形成される。ＵＭＴＳネットワークでは、例えば、そのようなパラメータは、移動端末の位置に基づき、例えば、最も近い非常通話処理センタに非常通話をルーティングするサービスによって用いられる。更に、他の状況において、例えば、ユーザが自分の現在位置に最も近い映画館を見つけることを可能にするサービスにおいて、このパラメータＳＡＩによって供給される位置情報を用いることが可能である。この目的のために、移動体加入者のＳＡＩ値は、ネットワークによって復旧され、地理的なエリアに変換され、これは、互いに関係づけられ、サービスエリアの使用例として言及できる。
【０００７】
従って、サービスアクセス局用のこれらのパラメータの内の１つに値を割り当てる段階は、或る制約条件、例えば、パラメータＬＡＩ及びＳＡＩと同様に、アクセス局の地理的な位置にリンクされた制約条件を満足しなければならないことが、明白である。しかしながら、運用者ネットワークでは、どこにアクセス局が設置されるかを規定するのは、運用者であるため、これらの制約条件を満足しても、何らかの特別な問題が生じることはない。
【０００８】
従来技術の欠点
標準の従来技術によるアクセスネットワークの１つの欠点は、それが設置される時にネットワークによって考慮すべきこととして、新しいアクセス局が、必ず計画され、従って、事前に構成されていなければならないことである。
【０００９】
現在、移動通信ネットワークの拡張は、移動体ネットワークと固定電話ネットワーク（公衆交換電話網（ＰＳＴＮ）又はインターネット等）との間において収束を提示する方向に向いている。
【００１０】
この枠組みが与えられた場合、運用者の中には、自分のクライアントに、専用の個人又は企業に関わらず、家庭又は企業敷地内において、無線カバレッジ（第２世代（２Ｇ）、第３世代（３Ｇ）又は３Ｇ（Ｂ３Ｇ）以降）を提供することを考える運用者がいる。この提供は、例えば、家庭における無線アクセスネットワークの形態で行う。あるいは、例えば、非同期デジタル加入者回線（ＡＤＳＬ）タイプの高ビットレートアクセスを提供するモデムに接続された、又は、高ビットレートネットワーク（例えば、ファイバー・トゥ・ザ・ホーム（ＦＴＴＨ））へのアクセスを提供する何らかの他の設備に接続された企業に限定された無線アクセスネットワークの形態で行う。以下、簡単にするために、表現「専用無線アクセス局」とは、そのようなアクセス局及びそれが接続されている高ビットレートネットワークへのアクセスを提供する設備からなるシステムを意味する。
【００１１】
各人は、従って、自分のアパート又は家をカバーする自宅用の無線アクセス局を有し得る。同様に、企業の場面では、会社は、１つ又は複数の無線アクセス局をその敷地に設けて、その敷地をカバーし得る。この家庭又は職場アクセス局には、その無線カバレッジエリアへのアクセスを一組のユーザ、例えば、家族、友達、企業の従業員等に制限するアクセス制御システムを含み得る。
【００１２】
しかしながら、この種の家庭用無線カバレッジサービスを導入すると、アクセスネットワークにおけるその位置が、あらかじめ計画されない専用アクセス局を構成するという問題を生じる。
【００１３】
更に、そのような何らかの家庭無線カバレッジサービスを導入すると、運用者の通信ネットワークへのアクセス局の数が増加するという問題が生じる。この理由は、大多数の専用アクセス局が、運用者によって既に配備された基地局タイプのパブリックアクセス局に追加される可能性があるためである。
【発明の概要】
【発明が解決しようとする課題】
【００１４】
本発明の特定の目的は、従来技術の欠点を軽減することである。
【００１５】
更に具体的には、アクセスネットワークを計画する場合、考慮されなかったサービスアクセス局を動的に構成するための解決策を提供する要件が、存在する。
【００１６】
本発明の他の目的は、増加する数の専用アクセスネットワークに容易に適応するアクセスネットワークにおけるサービスアクセス局を構成する方法を提案することである。
【課題を解決するための手段】
【００１７】
本発明は、通信ネットワークによって提供されるサービスへのアクセスを提供する無線アクセス局のパラメータＳＡＩを構成する方法を提案することによって、この要件に応じる。
【００１８】
本発明の方法は、サービスが、前記通信ネットワークへのアクセスネットワークを形成する複数の無線アクセス局を介してアクセス可能であり、前記方法には、以下のステップが含まれる点において注目に値する。即ち、
・無線アクセス局の位置の表示を含むパラメータＳＡＩの構成要求を受信すると、前記位置表示に基づき、地理的なエリアを前記無線アクセス局に割り当てるステップ。
・無線アクセス局の地理的な位置に関連付けられた制約条件を満足するパラメータに疑似値を動的に割り当てるステップ。
・前記無線アクセス局からサービスへのアクセス要求を受信すると、前記地理的なエリア用の通信ネットワークによって定義された可能な値のリストから選択されたパラメータＳＡＩの値に疑似値を変換するステップ。
【００１９】
従って、本発明は、アクセスネットワークにおける未計画サービスアクセス局のパラメータＳＡＩを構成する技術的問題を解決する。本発明によれば、新しく設置される未計画無線アクセス局は、その位置の表示が含まれるそのパラメータＳＡＩの構成に対する要求をネットワークコントローラに送る。対象無線アクセス局の地理的な位置を与えると同時に、位置表示は、その環境を、特に、隣接する無線アクセス局の位置及び／又は構成の観点で定義し得る。この要求に応答して、コントローラは、その位置にリンクされた少なくとも１つの制約条件を満足するパラメータＳＡＩの値を前記無線アクセス局に割り当てる。それは、位置表示に基づき、無線アクセス局に地理的なエリアを割り当てることによって始まる。
【００２０】
パラメータＳＡＩは、ユーザ端末の位置に基づき、サービスを実現するために又は非常通話をローカル非常通話処理センタにルーティングするために、用いられる。この種のサービスの場合、ＳＡＩは、ローカル処理センタに整合される。通信ネットワークの第１制約条件は、地理的なエリアに対して、限定した数の可能なＳＡＩ値が存在することである。所定の地理的なエリアが、ローカル非常通話処理センタにアタッチされるという事実は、地理的なエリアに設置された専用アクセス局から来る全ての非常通話が、そのローカル非常通話処理センタにルーティングされることを保証する。
【００２１】
本発明の他の態様によれば、更に、本構成方法は、以下の特徴を有する。
・前記割当てステップは、前記地理的なエリアの前記無線アクセス局に隣接する専用アクセス局における前記パラメータの前記値の単一の発生を課す第２制約条件を満足する。
【００２２】
この第２制約条件は、パラメータＬＡＣに関し、特に、アクセス制御メカニズムによって用いられる可能性があり、また、それ自体、隣接するアクセス局に対して無線アクセス局を一意的に識別しなければならないパラメータＬＡＣに関する。そこで、パラメータＬＡの異なる値が、各無線アクセス局に対して、又は少なくとも隣接する無線アクセス局（同じ位置エリアであることを許容し得る程度に離れている２つの無線アクセス局）に対して、存在することは有益である。３ＧＰＰ技術仕様ＴＳ２４．００８において、例えば、これらのパラメータ値は、移動端末が、それ自体を無線アクセス局にアタッチしようとする場合、位置エリア更新手続のトリガをかける結果になる。そして、ネットワークは、正確にどのアクセス局に加入者が配置されているかが分かる。この制約条件がない場合、移動端末は、それ自体を隣接アクセス局にアタッチすることになるが、ネットワークには、このことについて通知されない。
【００２３】
パラメータＳＡＩは、ＰＬＭＮ、ＬＡＣ、及びＳＡＣの値を連結することによって構成される。しかしながら、ＰＬＭＮは、所定の国における任意の一運用者に対して固定された値を有する。その結果、固定ＰＬＭＮにおけるパラメータＳＡＩの構成は、上記定義のパラメータＬＡＣ及びＳＡＣの構成に密接に結び付けられる。
【００２４】
本発明の他の態様において、前記割当てステップには、前記無線アクセス局に隣接する無線アクセス局に割り当てられた値を復旧するサブステップと、前記隣接値を前記リストから除去することによって、前記無線アクセス局用の可能な値のリストを更新するサブステップと、が含まれる。
【００２５】
復旧サブステップは、無線アクセス局それ自体によって実施することができ、これは、隣接無線アクセス局によってブロードキャストされたメッセージを監視し、それらをネットワークエンティティに、例えば、コントローラに転送する。そのようなメッセージは、構成パラメータ値、例えば、２Ｇ又は３Ｇ無線アクセス局のパラメータＬＡＣの値又は３Ｇ無線アクセス局のパラメータＳＣの値を含む。
【００２６】
復旧サブステップは、更に、コントローラによって実施し得るが、これは、隣接無線アクセス局に問い合わせて、それらに割り当てられた構成パラメータ値を確認する。パラメータＳＡＣ等のこれらのパラメータの値は、隣接無線アクセス局によってブロードキャストされない。この点について、コントローラは、例えば、構成要求を提出する無線アクセス局から、隣接無線アクセス局の位置の表示を事前に受信する必要があることに留意されたい。
【００２７】
本発明の同じ態様によれば、構成を待っている無線アクセス局に隣接する無線アクセス局に割り当てられたパラメータ値を復旧すると、ローカルデータベースによって供給されたパラメータの可能な値のリストの更新が可能になる。
【００２８】
本発明の他の態様によれば、本構成方法は、以下の特徴を含む。即ち、
・前記割当てステップは、前記地理的なエリアにおける前記パラメータの前記値の一意的発生を課す制約条件を満足する。
【００２９】
第３制約条件は、所定のＰＬＭＮの地理的なエリアの無線アクセス局を一意的に識別するパラメータＳＡＩに値を割り当てることを課す。
【００３０】
更に、本発明に基づき第３制約条件を満たすと、ブロードキャスト等の特定の用途に対する利点がある。３ＧＰＰ技術仕様ＴＳ２５．４１９において規定されたブロードキャスト用途により、サービス端末は、そのサービスエリア内において、それにアタッチされた移動端末へメッセージをブロードキャストできるようになる。明らかに、ホームゲートウェイに特有のＳＡＩ疑似値を割り当てると、サービスの提供が可能になり、そのサービスへの加入者は、例えば、ホームゲートウェイの加入者に言及して、“ようこそ！“姓名”のホームゲートウェイへ”という類の個人的メッセージのブロードキャストが可能になる。
【００３１】
この第３制約条件にリンクされる問題は、通信ネットワークが、パラメータＳＡＩの限定した数の可能な値を提供するという事実から生じる。地理的なエリアにおける無線アクセス局の数が増加する場合、通信ネットワークによって定義される可能な値の最大数に急速に達し、この第３制約条件を満足するのが不充分になるリスクがある。
【００３２】
本発明は、疑似値を用いるが、これら疑似値は、第３制約条件を満足し、また、複数の無線アクセス局とコントローラとの間の交信のためだけに用いられる。そして、これらの疑似値は、第１制約条件を満足するパラメータＳＡＩの値に、即ち、前記地理的なエリア用の通信ネットワークによって定義された可能な値のリストから選択されるパラメータＳＡＩの値に、コントローラによって変換される。
【００３３】
このことの１つの利点は、通信ネットワークによって定義された可能な値の数を増やす必要がないことである。第１及び第３制約条件は、従って、これがその資源を過負荷状態にすることなく、同時に満足することができる。第２の利点は、無線アクセス局を構成しても通信ネットワークの運用への影響がないことであり、特に、コアネットワークのそれに対する影響はなく、これは、特に、コアネットワークの変更は、運用及び保守の理由に限定されるべきであることから、有益である。特に、幾つかの変更は、動的に実施できず、運用者は、有限で限定された数の計画値によるノードの事前構成を余儀なくされる。
【００３４】
従って、本発明は、新しく設置された無線アクセス局のパラメータＳＡＩを、その地理的な位置を考慮しつつ、動的に構成し、また、頻繁に変更されやすい地理的な環境を有する無線アクセス局を、例えば、新しい無線アクセス局を設置することによって、定期的に再構成する。例えば、無線アクセス局におけるパラメータＳＡＩを構成するプロセスを有効期間と関連付ける段階を考え得る。一旦、その期間が過ぎると、アクセス局は、通信ネットワークへのその構成要求を繰り返す。定期的な再構成の利点は、それが、アクセス局の環境に対する変更を考慮することによって、アクセスネットワークにおける構成パラメータ値の割当てを調和させることである。
【００３５】
本発明は、特に、第２世代（２Ｇ）、第３世代（３Ｇ）及び上述した３Ｇ（Ｂ３Ｇ）以降のタイプの家庭専用無線アクセス局、及び移動通信ネットワークへのゲートウェイを構成するコントローラに適用する。更に、運用者が設置する新しい無線アクセス局を再構成したいと望まない運用者の“巨視的”ネットワークの無線アクセス局に適用し得る。
【００３６】
１つの利点のある特徴によれば、動的な割当てステップには、前記地理的なエリアにおけるパラメータＳＡＩに利用可能な疑似値のリストを含むローカルデータベースに問い合わせるサブステップと、利用可能な疑似値の前記リストから、前記無線アクセス局に割り当てられる疑似値を選択するサブステップと、前記リストから選択された疑似値を削除するようにリストを更新する段階と、が含まれる。
【００３７】
これの１つの利点は、データベースが、利用可能な疑似値の最新のリストを提供することである。
【００３８】
変換ステップには、利点として、前記地理的なエリアにおける前記パラメータ用に選択された可能な値に前記疑似値を変換するための表を含むデータベースに問い合わせるサブステップが含まれる。
【００３９】
これの利点は、コントローラには、無線アクセス局とコントローラとの間で用いられる疑似値を第１制約条件を満足するパラメータＳＡＩの値に整合する方法が分かっていることである。コントローラによって送られる要求において、ネットワークによって理解されるのは、この値である。
【００４０】
本発明の方法は、好適には、以下のように構成される。
・前記割当てステップは、前記無線アクセス局に隣接する前記地理的なエリアにおける無線アクセス局間で前記パラメータ値の例の均一な配分を課す第４制約条件を満足する。
・前記リストは、複数の無線アクセス局用の前記値の多数の例を示す。
・選択サブステップは、前記地理的なエリアにおいて既に割り当てられた発生数が最も低い値を選択する。
【００４１】
この第４制約条件は、特に、パラメータＬＡＣを構成する段階に関し、これに対しては、第２制約条件に累積される。上述したように、ユーザ端末位置更新手続は、ユーザ端末がアタッチしようと試みた、それらのＬＡＣパラメータによって識別される最新のアクセス局のリストを用いる。従って、第４制約条件は、明らかに、パラメータＬＡＣの同じ値を有する２つの無線アクセス局がこのリストに同時に存在するリスクを最小限に抑えることを目標にしている。この第４制約条件を満足するために、選択サブステップは、例えば、地理的なエリアに設置された複数の無線アクセス局のパラメータ値の例の数を示す前記リストに基づき、そのリストから、前記地理的なエリアにおいて既に割り当てられた例の数が最も低い値を選択する疑似ランダムアルゴリズムを用いる。
【００４２】
本発明は、更に、通信ネットワークによって提供されるサービスへのアクセスを提供するアクセス局のコントローラに関する。本発明のコントローラは、前記アクセス局が、前記通信ネットワークへのゲートウェイを構成する前記コントローラに接続された前記ネットワークのサービスへの無線アクセス局であり、以下の点において注目に値する。即ち、前記コントローラは、以下の手段を用いるように構成される。
・無線アクセス局の位置表示を含むパラメータＳＡＩの構成に対する要求を受信すると、前記位置表示に基づき、前記無線アクセス局に地理的なエリアを割り当てる段階と、
・無線アクセス局の位置に関連付けられた制約条件を満足するパラメータに疑似値を動的に割り当てる段階と、
・前記無線アクセス局からサービスにアクセスせよという要求を受信すると、前記地理的なエリアに対して通信ネットワークによって定義された可能な値のリストから選択されたパラメータの値に疑似値を変換する段階と、を用いるように構成される。
【００４３】
本発明のこの態様は、特に、上述の如く定義された２Ｇ又は３Ｇ専用アクセス局に関するが、これらは、専用アクセス局と通信ネットワークとの間で全てのトラフィックが通過するコントローラに接続し得る。この種のコントローラは、それが責任を負う全てのアクセス局の動的集中構成を提供し、また、運用者の“巨視的”アクセスネットワークのパブリックアクセス局にも対応することができる。
【００４４】
本発明は、更に、通信ネットワークが提供するサービスへのアクセス局に関する。
【００４５】
前記アクセス局は、サービスが、前記通信ネットワークに接続された複数の無線アクセス局を介してアクセス可能である場合、以下の点において注目に値する。即ち、前記無線アクセス局には、少なくとも位置表示を含むパラメータＳＡＩを構成せよという要求を、通信ネットワークへのゲートウェイを構成するコントローラに送るための手段と、無線アクセス局の位置に関連付けられた制約条件を満足するパラメータＳＡＩの疑似値を受信するための手段と、が含まれる。
【００４６】
これの利点は、コントローラが、アクセスネットワークにおける既に構成された無線アクセス局の全体像を有することである。更に、この解決策は、構成機能を集中化する利点と、無線アクセス局を更に複雑化させない利点とを提供する。
【００４７】
本発明は、更に、通信ネットワークによって提供されるサービスへのアクセスネットワークに関する。前記ネットワークは、サービスが、前記通信ネットワークに接続された複数の無線アクセス局を介してアクセス可能である場合、以下の点において注目に値する。即ち、無線アクセス局には、少なくとも位置表示を含むパラメータＳＡＩを構成せよという要求を、通信ネットワークへのゲートウェイを構成するコントローラに送るための手段と、パラメータの疑似値を受信するための手段と、が含まれる。前記コントローラは、前記位置表示に基づき、前記無線アクセス局に地理的なエリアを割り当てるように、また、無線アクセス局の位置に関連付けられた制約条件を満足するパラメータに疑似値を割り当てるように、更に、前記要求に応じて、それを無線アクセス局に送るように、適合されている。
【００４８】
本発明によれば、前記専用アクセス局は、前記コントローラに構成要求を送り、前記コントローラは、前記動的割当て手段を用いる。
【００４９】
これの利点は、割当てが、複数の無線アクセス局に対して集中することである。コントローラは、それが責任を負う無線アクセス局のパラメータ構成の全体像を有する。この集中解決策は、更に、無線アクセス局の構造が更に複雑になることを回避する。
【００５０】
最後に、本発明は、通信ネットワークからダウンロード可能な及び／又はコンピュータ判読可能媒体に記憶される及び／又はマイクロプロセッサによって実行されるようになっているコンピュータ・プログラム・プロダクトに関する
【００５１】
この種類のコンピュータ・プログラム・プロダクトは、本発明の方法を実行するためのプログラムコード命令が含まれる点で注目に値する。
【図面の簡単な説明】
【００５２】
【図１】通信ネットワークによって提供されるサービスへのアクセスを提供し、また、コアネットワークと家庭無線カバレッジサービス専用のアクセスネットワークとの間のゲートウェイとして機能する本発明のコントローラによって管理される無線アクセス局のネットワークのアーキテクチャを示す図。
【図２】専用サービスアクセス局のパラメータを構成するための本発明の方法のステップを示す図。
【図３】ユーザ端末の位置に基づき、本発明の方法によって構成されたアクセス局からサービスへの通話のルーティングを示す図。
【図４】本発明の一態様に基づく方法による地理的なエリアの専用アクセス局へのパラメータＬＡＣ、ＳＡＣの割当てを示す図。
【発明を実施するための最良の形態】
【００５３】
本発明の他の利点及び特徴は、例示のためにまた非限定的な例としてのみ与えられた本発明の１つの特定の実施形態の以下の説明を解釈すると、更に、添付図面から、更に明らかになる。
【００５４】
専用アクセス局から運用者の加入者に家庭無線カバレッジを提供する新しいサービスを導入する枠組みにおいて、本発明の一般的な原理は、地理的なエリアにおけるそれらの配備及び設置があらかじめ計画されていなかった専用アクセス局を動的に構成することに基づく。
【００５５】
本明細書全体において、表現“家庭無線カバレッジ”とは、幾つかの実施形態では、家庭、共同体又は企業枠組みかに関わらず、或る正規の加入者にアクセスを限定できる専用無線アクセス局からアクセス可能な無線カバレッジを意味することに留意されたい。
【００５６】
本発明の枠組みにおいて、表現“無線アクセス局”とは、専用アクセス局又はホームゲートウェイ（ＨＧ）、即ち、ユーザ（個人、共同体又は企業）の敷地に設置され、また、ユーザの端末への無線アクセス及びＩＰ／ＤＳＬ（インターネットプロトコル／デジタル加入者回線）輸送ネットワークへのアクセスを提供する設備を意味する。これは、特に、ＡＤＳＬネットワークに接続され、３Ｇ＿ＵＭＴＳ無線アンテナが備えられ、また、無線アンテナとホームゲートウェイとの間のＵＭＴＳ／ＩＰインターフェイスモジュールが含まれるホームゲートウェイであってよい。
【００５７】
明らかに、複数のホームゲートウェイは、複数のマイクロセル又はフェムトセルとして体系化された“微視的”アクセスネットワークを形成し、その各々は、ホームゲートウェイの特定の無線アンテナに関連付けられる。
【００５８】
本発明の枠組みにおいて、表現“無線アクセス局”とは、更に、運用者の２Ｇ又は３Ｇ“巨視的”ネットワークへの公衆無線アクセス局を意味する。
【００５９】
説明の残りは、“微視的”ネットワークを形成する専用アクセス局という脈絡で、本発明の実施形態について述べる。
【００６０】
これら専用アクセス局へのアクセスは、コントローラによって制御されるが、これは、ＨＧ専用アクセスネットワークを管理し運用者敷地に設置された設備である。ＨＧの全ての着信及び発信エンドユーザトラフィックは、コントローラが管理する。
【００６１】
本発明は、２Ｇセル方式ネットワーク（ＧＳＭ、ＧＰＲＳ）、３Ｇセル方式ネットワーク（ＵＭＴＳ）、及びそれらの将来の開発品に適用し得る。
【００６２】
第２世代ネットワークという脈絡では、専用アクセス局は、顧客敷地に設置されたＢＴＳ（送受信基地局）であってよく、また、コントローラは、ＢＳＣ（基地局コントローラ）であってよい。
【００６３】
第３世代ネットワークという脈絡では、専用アクセス局は、顧客敷地に設置されたノードＢ（ＮｏｄｅＢ）であってよく、また、通常、ＲＮＣ（無線ネットワークコントローラ）、ＭＳＣ（移動体交換局）又はＳＧＳＮ（サービス提供ＧＰＲＳサポートノード）等の３Ｇネットワークのエンティティに関連した機能を提供し得る。コントローラは、ＲＮＣのようであるが、追加機能、特に、アクセス制御メカニズムに関する機能を有し得る。
【００６４】
説明の残りは、ＵＭＴＳネットワークの場面における本発明の特定の一実施形態に全て供する。
【００６５】
図１は、家庭無線カバレッジサービス専用で、複数の専用アクセス局（その３つのＨＧ１、ＨＧ２、及びＨＧ３を示す）を含む“微視的”アクセスネットワークのアーキテクチャを示す。専用アクセス局ＨＧ１乃至ＨＧ３は、各々、インターネット等のＩＰネットワーク１０又はＡＤＳＬネットワークを介してコントローラ１１に接続されている。コントローラ１１は、それがその一部である専用アクセス局ＨＧ１乃至ＨＧ３からなるアクセスネットワークと、提供されたサービス及び固定公衆電話ネットワークやインターネット等の固定ネットワーク（図１には示さず）への通話のルーティングを管理する運用者のコアネットワーク１２と、の間のゲートウェイを構成する。
【００６６】
コアネットワーク１２には、以下のような多数の標準ＵＭＴＳネットワークエンティティが含まれる。
・移動体交換局（ＭＳＣ）１２１。これは、それが管理する地理的なエリアにおいて登録されている移動端末１乃至４及び１３１の回路網モードサービスの管理に対して責任を負っている。
・ホーム・ロケーション・レジスタ（ＨＬＲ）１２２。これは、ユーザの申し込み条件及び申し込んだサービスの特徴に関する情報を含むデータベースである。これは、更に、（加入者が位置するＭＳＣ又はＳＧＳＮ等の）相対的に粗い加入者位置情報を含む。
・サービス提供ＧＰＲＳサポートノード（ＳＧＳＮ）１２３。これは、データをパケットモードでインターネット、イントラネット・ネットワーク、又はサービスプラットホーム（及びその逆）に転送する。この接続は、ゲートウェイＧＰＲＳサポートノード（ＧＧＳＮ）１２４の形態でデータルーティングゲートウェイを介して行われる。
それらの役割及び機能は、標準ＵＭＴＳネットワークのものと同じであり、従って、ここでは、更に詳細に述べない。
【００６７】
更に、運用者の“巨視的”ＵＭＴＳネットワークを図１に示すが、これは、複数のユーザ移動端末１３１からアクセス可能なパブリックアクセス局、即ち、基地局からなるアクセスネットワーク１３の形態であり、このアクセスネットワーク１３は、コアネットワーク１２に接続される。
【００６８】
各専用アクセス局ＨＧ１乃至ＨＧ３は、アクセス制御メカニズムが実装されていれば、１つ又は複数の正規の加入者端末によってアクセスし得る。アクセス制御メカニズムが実装されていない場合、それは、任意の端末によってアクセスし得る。
【００６９】
そのような移動端末には、移動セル方式無線通信端末、通信用個人携帯情報端末（ＰＤＡ）、通信用ラップトップコンピュータ、及び運用者のネットワークと通信を行うことが可能なスマートホンを含み得る。本発明の脈絡で用いるために何ら変更する必要がない標準ＵＭＴＳ移動端末が存在する。
【００７０】
ホームゲートウェイＨＧ１のパラメータを構成するための本発明の方法について、特に、図２を参照して、以下に述べる。
【００７１】
無線ネットワークに接続する場合、顧客の敷地に新しく設置されたホームゲートウェイＨＧ１は、構成要求２０をコントローラ１１に送る。対象のホームゲートウェイ用のコントローラ１１のアドレスは、例えば、サービスへの申し込み時、顧客に伝達されるか、又はＤＮＳ（ドメイン名システム）要求によって分析される。そのような要求には、ホームゲートウェイ用の位置表示が含まれる。これは、例えば、顧客が加入するＡＤＳＬ接続のＩＰアドレス、ＰＬＭＮもしくはＬＡＣ等の端末をカバーする“巨視的”２Ｇもしくは３Ｇネットワークに関する情報、又はセル識別子である。
【００７２】
この要求は、少なくとも１つの構成パラメータに関する。以下、特に、上述の如く定義されたパラメータＬＡＣ、ＳＡＣ、及びＳＡＩに対して考察を行う。しかしながら、本発明は、これらの特定の構成パラメータに限定されるものではなく、また、ホームゲートウェイの地理的な位置にリンクし得る任意の種類の構成パラメータ、例えば、スクランブルコードに適用される。そのようなスクランブルコードは、符号分割多元接続（ＣＤＭＡ）アクセス技術を実現する３Ｇネットワークに用いられ、同一送信周波数を用いる２つの隣接する端末の通話間の干渉の影響を低減する。
【００７３】
要求を受信すると、コントローラ１１は、前記ホームゲートウェイＨＧ１に地理的なエリアＧＡ１を要求に含まれる位置表示の機能として割り当てる。地理的なエリアの選択及びそのサイズは、特に、対象の構成パラメータの種類に依存することに留意されたい。例えば、パラメータＳＡＩ、ＬＡＣ、及びＳＡＣを構成する場合、地理的なエリアは、町又は区域に対応し、例えば、その町又は区域の郵便番号によって指定し得る。
【００７４】
そして、コントローラは、対象の地理的なエリア用の対象のパラメータの可能な値のリストを含むデータベース１４に問い合わせる。
【００７５】
そのようなデータベースは、ネットワークに配置し、集中管理し、また、多数のコントローラが、本発明のアクセスネットワークに配備される場合、全てのコントローラによる問い合わせに利用可能にできる。これらは、更に、１つのコントローラに内在してもよい。
【００７６】
コントローラは、データベース１３によって供給される値のリストに含まれるホームゲートウェイＨＧ１の種類用のパラメータ値であって、ホームゲートウェイＨＧ１の位置にリンクされる少なくとも１つの制約条件を満足するパラメータ値を選択する。最後に、応答メッセージ２２をホームゲートウェイＨＧ１に送る。
【００７７】
本発明の一態様によれば、コントローラは、“巨視的”ネットワーク用の通信ネットワーク１２によって定義された可能な値のリストからのパラメータ値の選択に関する第１制約条件を満足するホームゲートウェイＨＧ１にパラメータ値を割り当てなければならない。
【００７８】
パラメータＬＡＣの場合、例えば、所定のＰＬＭＮに対して、従って、所定の国の所定の運用者の移動体ネットワークに対して、６５５３３の可能な値がある。そして、これら６５５３３の可能な値は、移動体ネットワークのＭＳＣ間で分割される。その結果、ＭＳＣ１２１にアタッチされたコントローラ１１の場合、それが責任を負うホームゲートウェイのパラメータＬＡＣを構成するための可能な値の数は、通信ネットワーク１２によってＭＳＣ１２１の地理的なエリアＧＡに割り当てられた６５５３３の値の部分集合である。例えば、パリの１５番目の行政区の場合、ＬＡＣの２つの値があり、これは、以下、ＬＡＣＣＮ（ＣＮは、通信ネットワーク（Ｃｏｍｍｕｎｉｃａｔｉｏｎｓ＿Ｎｅｔｗｏｒｋ）を表す）と呼ばれ、１及び２に等しい。
【００７９】
対照的に、パラメータＳＡＣの場合、所定のＭＳＣに対して、６５５３４の可能な値があるが、（パリの１５番目の行政区の本例の場合）、通信ネットワークは、同じエリアの２つのＬＡＩにおけるパラメータＳＡＣＣＮ＝１の再使用を規定し、これにより、通信ネットワークにおいて、ＳＡＩＣＮの２つの値が与えられる。
【００８０】
以下の表は、通信ネットワーク側に割り当てられたＳＡＩＣＮ値及びアクセス局にパラメータを割り当てるために用い得る疑似ＳＡＩ値を与える。従って、ＳＡＩは、２０８−０１−６−１５と示され、２０８は、ＭＣＣ（移動体国コード（Ｍｏｂｉｌｅ＿Ｃｏｕｎｔｒｙ＿コード）：２０８は、フランス）であり、０１は、ＭＮＣ（移動体ネットワークコード（Ｍｏｂｉｌｅ＿Ｎｅｔｗｏｒｋ＿Ｃｏｄｅ）：０１は、オレンジ）であり、６は、ＬＡＣであり、１５は、ＳＡＣである。
【表１】
2010507306.tif 000008
【００８１】
ネットワークエンティティ、例えば、コントローラ１１は、利点として、データベース１４において、利用可能な疑似値のリストを調べる。それは、リストから疑似値を選択した場合、選択された値を利用可能な値のリストから除去することによって、リストを更新する。
【００８２】
前記ホームゲートウェイからサービスにアクセスせよという要求を受信すると、本発明の方法は、第１制約条件を満足する前記パラメータの値に疑似値を変換するステップを実行する。
【００８３】
パラメータＳＡＩは、ＰＬＭＮ、ＬＡＣ、及びＳＡＣ値を連結することによって形成されることを思い起こされたい。この場合、ＰＬＭＮは、所定の国における所定の運用者用の固定値を有する。その結果、固定ＰＬＭＮにおけるパラメータＳＡＩの構成は、上述の如く定義されたパラメータ（ＬＡＣ、ＳＡＣ）のそれに密接にリンクされる。
【００８４】
通信ネットワークによって定義された可能な値に疑似値を変換するステップは、利点として、データベース、例えば、同じデータベース１４に記憶された対応表を調べることによって、実行される。
【００８５】
図３は、一例として、ホームゲートウェイＨＧ１にアタッチされた移動端末１から来る非常通話のルーティングを示す。ホームゲートウェイＨＧ１は、パリの１５番目の行政区からなる地理的なエリアＧＡ１に配置される。端末１は、通話確立要求をホームゲートウェイＨＧ１に送り（ステップ３０）、これは、そのコントローラ１１に要求を転送する（ステップ３１）。この転送は、ＩＰネットワーク１０（図３には示さず）を介して伝達されるＩＰフレームに通話確立要求を封入することによって行われることに留意されたい。この要求には、本発明により割り当てられたパラメータＳＡＩの疑似値を含む、ホームゲートウェイＨＧ１用の構成パラメータが含まれる。この要求を受信すると、コントローラ１１は、この疑似値を、通信ネットワークによって定義されたパラメータＳＡＩの値に変換するが、この値は、ＳＡＩの固有で明白な値を保証する。そして、変換パラメータ値を含む要求は、Ｉｕ−ＣＳインターフェイスを介して、ＭＳＣにルーティングされる（ステップ３２）。ＲＮＣとＭＳＣとの間のこの種のインターフェイスは、３ＧＰＰ技術仕様ＴＳ２５．４１０によって規定される。パラメータＳＡＩのこの固有で明白な値を用いて、ＭＳＣは、通話を最も近いローカル非常通話処理センタＬＣ１にルーティングでき（ステップ３３）、また、地理的なエリアに基づき、その同じ非常通話処理センタに加入者の現在位置、例えば、移動端末がアタッチされているホームゲートウェイの郵便番号を提供し得る。
【００８６】
本発明の他の態様によれば、割当てステップは、第２制約条件、即ち、前記地理的なエリアにおける前記ホームゲートウェイに隣接するホームゲートウェイ間において、前記パラメータの前記値は、唯１つ発生すべきであることを満足するように意図されている。この第２制約条件は、特に、パラメータＬＡＣに関し、パラメータＬＡＣは、アクセス制御メカニズムによって用いられ、例えば、ホームゲートウェイへのアクセスを制御する。
【００８７】
パラメータＬＡＣの場合、第２制約条件は、選択された値が、通信ネットワークによって定義された値のリストに存在しなければならないことから、第１番目と組み合わせて考慮し得る。
【００８８】
この点では、少なくとも、隣接するホームゲートウェイの場合、パラメータＬＡＣの異なる値で各ホームゲートウェイのパラメータを設定することが望ましい（同じ位置エリアを有する２つの専用アクセス局は、極めて遠い場合、許容し得る）。一例として、上述した３ＧＰＰ技術仕様ＴＳ２４．００８を参照すると、そのようなパラメータ値は、ホームゲートウェイにアタッチしようとする場合、移動端末において位置エリア更新手続のトリガをかけるという結果を有する。この手続の場面では、移動端末が、パラメータＬＡＣの異なる値を通して、連続的にアタッチしようとする可能性がある２つの端末間の区別を行うことは、不可欠である。
【００８９】
この第２制約条件を満足するために、割当てステップは、対象のパラメータに対して、隣接するホームゲートウェイに割り当てられた値を復旧しなければならない。この復旧は、ブロードキャストするメッセージを監視することによって、その近隣の構成に関する情報を収集し、そして、収集された情報をコントローラに送るホームゲートウェイによって行うことができる。それは、また、構成されるのを待っている端末に隣接する端末に問い合わせるコントローラそれ自体によって、実現し得る。
【００９０】
これら双方の状況において、コントローラは、ホームゲートウェイに隣接する端末を事前に知る必要がないことに留意すべきである。従って、コントローラに隣接端末に関する位置情報を、それが、それらを識別し、そのデータベースにおけるそれらに関する構成値を調査できるように提供することが必要である。このことは、例えば、端末それ自体によって行われる。そして、動的な割当てステップは、前記隣接値をそこから除去することによって、ホームゲートウェイ用の可能な値のリストを更新する。
【００９１】
この第２制約条件を満足する本発明に基づく動的な割当ての例については、図４を参照して、以下に述べる。本例において、この第２制約条件は、パラメータＬＡＣに適用されるばかりでなく、パラメータＳＣ（スクランブルコード）にも適用される。
【００９２】
本発明の他の態様によれば、前記割当てステップは、前記地理的なエリアにおける前記パラメータの値の単一の発生を課す第３制約条件を満足する。
【００９３】
この第３制約条件は、移動端末のアタッチ局を決定するために用い得るパラメータＳＡＩに適用する。この同じパラメータが、通信ネットワーク側において用いられ、非常通話が、移動端末の位置の関数としてルーティングされる。しかしながら、通信ネットワークにおけるこの限定した数の値は、同じ地理的なエリアにおいて多数のホームゲートウェイを含む“微視的”ネットワークの用途に適合しておらず、また、その実際の数は、運用者が制御できるものではないことが、明らかである。
【００９４】
この問題を解決するために、本発明の方法の割当てステップは、前記ホームゲートウェイＨＧにパラメータの疑似値を割り当て、前記疑似値は、この第３制約条件を満足するように選択される。
【００９５】
この第３制約条件は、第１制約条件とは独立に又はそれと組み合わせて、パラメータに適用し得ることに留意すべきである。
【００９６】
パラメータＳＡＩの場合、例えば、２つの制約条件が、組み合わせて満たされることが望ましい。従って、同じ地理的なエリアにおいて、疑似値を用いると、通信ネットワーク側において、非常通話に対する変換及びルーティング表において限定した数のＳＡＩを保証するのと同時に、可能な値の極めて長いリストが可能になる（特に、固有の値ＳＡＩを端末に割り当てることができる）。表１に述べた例を参照すると、運用者は、従って、１５番目の行政区からなる地理的なエリアに対して、パラメータＳＡＩの２つの値だけを通信ネットワークにおいて宣言するのと同時に、無線アクセス局においてＳＡＩの１３．１０７．０００の疑似値を用い得る。
【００９７】
本発明に基づく第３制約条件を満たすと、ブロードキャスト等の特定の用途に対する利点がある。３ＧＰＰ技術仕様ＴＳ２５．４１９で規定したブロードキャスト用途により、サービス端末は、そのサービスエリア内においてそれにアタッチされた移動端末へメッセージをブロードキャストできるようになる。明らかに、ホームゲートウェイに特有のＳＡＩ疑似値を割り当てると、提示されるサービスを提供でき、そのサービスの加入者は、例えば、ホームゲートウェイの加入者に言及して、“ようこそ！“姓名”のホームゲートウェイへ”というタイプの個人的メッセージのブロードキャストが可能になる。
【００９８】
本発明のこの態様は、ホームゲートウェイＨＧが、ＲＮＣ機能を実現し、また、従って、対象のパラメータの値を解釈する場合にのみ実現可能であることに留意すべきである。この特定の例では、コントローラは、それがコアネットワークから受信するホームゲートウェイＨＧに宛てられたメッセージを中継し、そして、これを行うために、上述した第１及び第３制約条件を満足する疑似値にパラメータの値を変換する。対照的に、ＲＮＣ機能が、コントローラ１１で実現される場合、パラメータＳＡＣの値の意味は、コントローラに局在したままであり、パラメータＳＡＩは、一切ホームゲートウェイに割り当てられない。
【００９９】
本発明の他の態様によれば、割当てステップは、その地理的なエリアにおけるホームゲートウェイに隣接するホームゲートウェイの間でパラメータ値の例の均一な配分を課す第４制約条件を満足する。この第４制約条件は、特に、パラメータＬＡＣに関し、これについては、既に説明した通り、同じ値、従って、同じ位置エリアを有する２つの専用アクセス局は、極めて遠くに離れているならば、許容し得る。この点において、地理的なエリアは、非常事態エリアにアタッチされたエリアより大きいと見なされる。即ち、ここで対象とする地理的なエリアは、ＭＳＣによって制御されるそれである。
【０１００】
本発明のこの態様によれば、データベース１４に記憶された可能な値のリストは、ＭＳＣの地理的なエリアにおけるホームゲートウェイ用の前記値の多数の例を示し、選択サブステップは、前記地理的なエリアにおいて既に割り当てられた例の数が最も低い値を選択する。可能な値のリストからの選択には、ここに述べていないが、当業者に知られている技法の疑似ランダムアルゴリズムを用い得る。これによって、移動端末が、パラメータＬＡＣの同じ値を有するホームゲートウェイに連続的にアタッチしようとするリスクが最小限に抑えられる。
【０１０１】
パラメータＬＡＣの場合、この第４制約条件は、第２制約条件に累積される。それは、しかしながら、他の種類のパラメータに対しては、第２制約条件とは独立だと見なし得る。
【０１０２】
本発明のこの態様は、既に述べた他の態様とは独立に実現し得ることに留意すべきである。特に、第３及び第４制約条件の実施例は、必ずしも第１及び第３制約条件を組み合わせるとは限らない。
【０１０３】
本発明の１つの特定の実施形態によれば、サービスアクセス局を構成するという本発明の方法のステップは、コントローラ１１等のデータ処理装置に組み込まれたコンピュータプログラムの命令によって決定される。このプログラムには、前記プログラムが装置にロードされ、そこで実行され、そして、前記プログラムの実行によって装置の動作が制御されると、本発明の方法のステップを実行するプログラム命令が含まれている。
【０１０４】
その結果、本発明は、コンピュータプログラム、特に、本発明を実現するようになっている情報記憶媒体上のコンピュータプログラムにも適用する。このプログラムは、任意のプログラミング言語を用いたり、ソースコード、オブジェクトコード又は部分的にコンパイルされた形態等のソースコードとオブジェクトコードとの間の中間コードの形態を取ったり、又は本発明の方法を実現するために望ましい他の何らかの形態を取り得る。
【符号の説明】
【０１０５】
１〜３・・・移動端末、ＨＧ１〜３・・・アクセス局、１０・・・ＩＰネットワーク、１１・・・コントローラ、１２・・・コアネットワーク、１３・・・アクセスネットワーク、１２１・・・移動体交換局、１２２・・・ホーム・ロケーション・レジスタ、１２３・・・サービス提供ＧＰＲＳサポートノード（ＳＧＳＮ）、１２４・・・ゲートウェイＧＰＲＳサポートノード（ＧＧＳＮ）、１３１・・・移動端末
【手続補正２】
【補正対象書類名】特許請求の範囲
【補正対象項目名】全文
【補正方法】変更
【補正の内容】
【特許請求の範囲】
【請求項１】
通信ネットワーク（１２）によって提供されるサービスへのアクセスを提供する無線アクセス局（ＨＧ）のパラメータＳＡＩを構成する方法であって、サービスは、前記通信ネットワークへのアクセスネットワークを形成する複数の無線アクセス局を介してアクセス可能であり、前記方法には、
・前記無線アクセス局の位置の表示を含む前記パラメータ（ＳＡＩ）の構成に対する要求の受信時、前記位置表示に基づき、地理的なエリア（ＧＡ１、ＧＡ２）を前記無線アクセス局に割り当てるステップと、
・無線アクセス局の地理的な位置に関連付けられた制約条件を満足するパラメータに疑似値を動的に割り当てるステップと、
・前記無線アクセス局からのサービスへのアクセス要求の受信時、前記地理的なエリア（ＧＡ１、ＧＡ２）用の通信ネットワークによって定義された可能な値のリストから選択されたパラメータＳＡＩの値に疑似値を変換するステップと、
が含まれることを特徴とする方法。
【請求項２】
請求項１に記載の構成方法であって、動的な割当てステップは、前記地理的なエリアの前記無線アクセス局に隣接する専用アクセス局間において、発生する前記パラメータの前記値が、唯１つであるべきであるという作用に対する制約条件を満足することを特徴とする構成方法。
【請求項３】
請求項１に記載の構成方法であって、動的な割当てステップには、前記地理的なエリアにおけるパラメータＳＡＩに利用可能な疑似値のリストを含むローカルデータベースに問い合わせるサブステップと、利用可能な疑似値の前記リストから前記無線アクセス局に割り当てられる疑似値を選択するサブステップと、が含まれることを特徴とする構成方法。
【請求項４】
請求項１に記載の構成方法であって、前記変換ステップには、前記地理的なエリアにおける前記パラメータ用に選択された可能な値に前記疑似値を変換するための表を含むデータベース（１４）に問い合わせるサブステップが含まれることを特徴とする構成方法。
【請求項５】
請求項１に記載の構成方法であって、動的な割当てステップは、前記地理的なエリアにおいて発生する前記パラメータの前記値が、唯１つであるべきであるという作用に対する制約条件を満足することを特徴とする構成方法。
【請求項６】
通信ネットワーク（１２）によって提供されるサービスへのアクセス局のコントローラ（１１）であって、前記アクセス局は、前記通信ネットワークへのゲートウェイを構成する前記コントローラに接続された前記ネットワークのサービスへの無線アクセス局であり、前記コントローラは、以下の手段、即ち、
・前記無線アクセス局の位置の表示を含む前記パラメータ（ＳＡＩ）の構成に対する要求の受信時、前記位置表示に基づき、地理的なエリア（ＧＡ１、ＧＡ２）を前記無線アクセス局に割り当てる段階と、
・無線アクセス局の位置に関連付けられた制約条件を満足するパラメータに疑似値を動的に割り当てる段階と、
・前記無線アクセス局からのサービスへのアクセス要求の受信時、前記地理的なエリア（ＧＡ１、ＧＡ２）用の通信ネットワークによって定義された可能な値のリストから選択されたパラメータＳＡＩの値に疑似値を変換する段階と、
を用いるように構成されていることを特徴とするコントローラ。
【請求項７】
通信ネットワークによって提供されるサービスへのアクセス局（ＨＧ）であって、サービスは、前記通信ネットワークに接続された複数の無線アクセス局を介してアクセス可能であり、一無線アクセス局には、
通信ネットワークへのゲートウェイを構成するコントローラ（１１）に少なくとも位置表示を含むパラメータＳＡＩを構成せよという要求を送るための手段と、
無線アクセス局の位置に関連付けられた制約条件を満足するパラメータの疑似値を受信するための手段と、
が含まれることを特徴とするアクセス局（ＨＧ）。
【請求項８】
通信ネットワークによって提供されるサービスへのアクセスネットワークであって、
それには、前記通信ネットワークに接続された複数の無線アクセス局が含まれ、
一無線アクセス局には、通信ネットワークへのゲートウェイを構成するコントローラ（１１）に少なくとも位置表示を含むパラメータＳＡＩを構成せよという要求を送るための手段と、パラメータの疑似値を受信するための手段と、が含まれ、
前記コントローラは、前記位置表示に基づき、地理的なエリア（ＧＡ１、ＧＡ２）を前記無線アクセス局に割り当てるように、また、前記無線アクセス端末の位置に関連付けられた制約条件を満足するパラメータに疑似値を割り当てるように、更に、サービスへのアクセスに対する前記アクセス局からの要求を受信すると、前記地理的なエリア（ＧＡ１、ＧＡ２）用の通信ネットワークによって定義された可能な値のリストから選択されたパラメータ値に疑似値を変換するように、適合されていることを特徴とするアクセスネットワーク。
【請求項９】
通信ネットワークからダウンロード可能な及び／又はコンピュータ判読可能媒体に記憶された及び／又はマイクロプロセッサによって実行されるようになっているコンピュータ・プログラム・プロダクトであって、それには、請求項１に記載の方法を実行するためのプログラムコード命令が含まれていることを特徴とするコンピュータ・プログラム・プロダクト。
【国際調査報告】
2010507306.tif 000009
2010507306.tif 000010
2010507306.tif 000011
2010507306.tif 000012
2010507306.tif 000013
2010507306.tif 000014